(57)【特許請求の範囲】
【請求項１】
ワイヤレスネットワークと通信する移動ワイヤレスデバイスであって、
スイッチを介して第１のアンテナ及び第２のアンテナと相互接続された第１の受信器及び第２の受信器と、
プロセッサであって、前記移動ワイヤレスデバイスにおける不連続受信サイクルの間に、
測定されたダウンリンク信号品質が事前決定された閾値を超える場合、ページ指標チャネル上で前記第１のアンテナを介して受信された少なくとも１つのページ指標を復号し、
前記測定されたダウンリンク信号品質が前記事前決定された閾値を超えない場合、前記ページ指標チャネルを復号することなく、ページングチャネル上で前記第１のアンテナを介して受信された１以上のページメッセージを復号し、ここで前記ページングチャネルと前記ページ指標チャネルとは別々のものであり、
前記ページ指標チャネル上で前記第１のアンテナを介して受信された第１のページ指標が消去値(erasure value)として復号された場合、前記ページングチャネル上で前記第２のアンテナを介して受信された１以上のページメッセージを復号し、ここで前記消去値は明確な値が存在しないことを示すものであり、
前記不連続受信サイクルの間に、事前決定された時間にわたって、前記ページングチャネル上で前記第１のアンテナを単独で介して、又は前記第２のアンテナを単独で介して受信されたページングメッセージがいずれも正確なエラーチェックコードを伴って復号されなかった場合、前記ページングチャネル上で前記第１のアンテナを介して、また前記第２のアンテナを共に介して受信された１以上のページメッセージを復号し、前記ページ指標チャネルを無視する
ように構成されたプロセッサと、
を備えることを特徴とする移動ワイヤレスデバイス。
【請求項２】
前記プロセッサは、現在の不連続受信サイクルにおいて不正確なエラーチェックコードを復号した後に、後続の不連続受信サイクルの間に、前記ページングチャネル上で前記第１のアンテナを介して、また前記第２のアンテナを共に介して受信された１以上のページメッセージを復号するように更に構成される
ことを特徴とする請求項１に記載の移動ワイヤレスデバイス。
【請求項３】
前記プロセッサは、前記第１のアンテナ及び前記第２のアンテナを共に使用して復号を行う場合に、前記ページ指標チャネルを無視するように更に構成される
ことを特徴とする請求項２に記載の移動ワイヤレスデバイス。
【請求項４】
前記プロセッサは、
第１の事前決定された数の不正確な連続したエラーチェックコードを測定した後に、１つのアンテナを用いて前記ページングチャネルを復号することから複数のアンテナを用いて復号を行うことへと切り替え、
第２の事前決定された数の正確な連続したエラーチェックコードを測定した後に、複数のアンテナを用いて前記ページングチャネルを復号することから１つのアンテナを用いて前記ページングチャネルを復号することへと切り替える
ように更に構成される
ことを特徴とする請求項１に記載の移動ワイヤレスデバイス。
【請求項５】
前記プロセッサは、少なくとも１つの正確なエラーチェックコードを含むと共に不正確なエラーチェックコードを含まない連続した不連続受信サイクルをカウントすることにより、前記第２の事前決定された数の正確な連続したエラーチェックコードを測定するように更に構成される
ことを特徴とする請求項４に記載の移動ワイヤレスデバイス。
【請求項６】
前記プロセッサは、前記ページ指標チャネル上の前記少なくとも１つのページ指標を復号する前に、複数のアンテナの各々を介して受信された信号強度の測定値に基づき、当該複数のアンテナから前記第１のアンテナを選択するように更に構成される
ことを特徴とする請求項１に記載の移動ワイヤレスデバイス。
【請求項７】
前記ワイヤレスネットワークは、ＣＤＭＡ２０００  １ｘ通信プロトコルを用いて動作する
ことを特徴とする請求項１に記載の移動ワイヤレスデバイス。
【請求項８】
前記エラーチェックコードは、レイヤ２ページングチャネルメッセージのレイヤ２ＣＲＣセグメントである
ことを特徴とする請求項７に記載の移動ワイヤレスデバイス。
【請求項９】
ワイヤレスネットワークと通信する移動ワイヤレスデバイスにおいて受信ダイバーシチを適応させるための、コンピュータ可読媒体の中にコード化されたコンピュータプログラムであって、
前記移動ワイヤレスデバイスにおける不連続受信サイクルの間に、前記移動ワイヤレスデバイスにおいて、
測定されたダウンリンク信号品質が事前決定された閾値を超える場合、ページ指標チャネル上で第１のアンテナを介して受信された少なくとも１つのページ指標を復号するように構成されたコンピュータプログラムコードと、
前記測定されたダウンリンク信号品質が前記事前決定された閾値を超えない場合、前記ページ指標チャネルを復号することなく、ページングチャネル上で前記第１のアンテナを介して受信された１以上のページメッセージを復号するように構成されたコンピュータプログラムコードであって、前記ページングチャネルと前記ページ指標チャネルとは別々のものであるコンピュータプログラムコードと、
前記ページ指標チャネル上で前記第１のアンテナを介して受信された第１のページ指標が消去値(erasure value)として復号された場合、前記ページングチャネル上で第２のアンテナを介して受信された１以上のページメッセージを復号するように構成されたコンピュータプログラムコードであって、前記消去値は明確な値が存在しないことを示すものであるコンピュータプログラムコードと、
前記不連続受信サイクルの間に、事前決定された時間にわたって、前記ページングチャネル上で前記第１のアンテナを単独で介して、又は前記第２のアンテナを単独で介して受信されたページングメッセージがいずれも正確なエラーチェックコードを伴って復号されなかった場合、前記ページングチャネル上で前記第１のアンテナを介して、また前記第２のアンテナを共に介して受信された１以上のページメッセージを復号し、前記ページ指標チャネルを無視するように構成されたコンピュータプログラムコードと、
を備えることを特徴とするコンピュータプログラム。
【請求項１０】
現在の不連続受信サイクルにおいて不正確なエラーチェックコードを復号した後に、後続の不連続受信サイクルの間に、前記ページングチャネル上で前記第１のアンテナを介して、また前記第２のアンテナを共に介して受信された１以上のページメッセージを復号するように構成されたコンピュータプログラムコードを更に備える
ことを特徴とする請求項９に記載のコンピュータプログラム。
【請求項１１】
前記第１のアンテナ及び前記第２のアンテナを共に使用して復号を行う場合に、前記ページ指標チャネルを無視するように構成されたコンピュータプログラムコードを更に備える
ことを特徴とする請求項１０に記載のコンピュータプログラム。
【請求項１２】
第１の事前決定された数の不正確な連続したエラーチェックコードを測定した後に、１つのアンテナを用いて前記ページングチャネルを復号することから複数のアンテナを用いて復号を行うことへと切り替えるように構成されたコンピュータプログラムコードと、
第２の事前決定された数の正確な連続したエラーチェックコードを測定した後に、複数のアンテナを用いて前記ページングチャネルを復号することから１つのアンテナを用いて前記ページングチャネルを復号することへと切り替えるように構成されたコンピュータプログラムコードと、
を更に備えることを特徴とする請求項９に記載のコンピュータプログラム。
【請求項１３】
少なくとも１つの正確なエラーチェックコードを含むと共に不正確なエラーチェックコードを含まない連続した不連続受信サイクルをカウントすることにより、前記第２の事前決定された数の正確な連続したエラーチェックコードを測定するように構成されたコンピュータプログラムコードを更に備える
ことを特徴とする請求項１２に記載のコンピュータプログラム。
【請求項１４】
前記ページ指標チャネル上の前記少なくとも１つのページ指標を復号する前に、複数のアンテナの各々を介して受信された信号強度の測定値に基づき、当該複数のアンテナから前記第１のアンテナを選択するように構成されたコンピュータプログラムコードを更に備える
ことを特徴とする請求項９に記載のコンピュータプログラム。
【請求項１５】
前記ワイヤレスネットワークは、ＣＤＭＡ２０００  １ｘ通信プロトコルを用いて動作する
ことを特徴とする請求項９に記載のコンピュータプログラム。
【請求項１６】
前記エラーチェックコードは、レイヤ２ページングチャネルメッセージのレイヤ２ＣＲＣセグメントである
ことを特徴とする請求項１５に記載のコンピュータプログラム。
【請求項１７】
ワイヤレスネットワークと通信する移動ワイヤレスデバイスにおいてアンテナ受信ダイバーシチを適応させる方法であって、
ページ指標チャネル上で受信したページ指標の復号に基づいて、ページングチャネルの信号受信を第１のアンテナと第２のアンテナとの間で切り替えるステップと、
ページングチャネル上で受信された複数の連続したページングメッセージが不正確なエラーチェックコードと共に復号された場合に、前記第１のアンテナ及び前記第２のアンテナの両方を介した信号受信と、前記第１のアンテナと相互接続された第１の受信器及び前記第２のアンテナと相互接続された第２の受信器における信号処理とを有効化するステップと、
前記第１のアンテナ及び前記第２のアンテナの両方を介して信号を受信する場合、前記ページ指標チャネルを無視し、前記ページングチャネルを直接復号するステップと、
連続した不連続受信サイクルにおいて前記ページングチャネル上で受信された複数の連続したページングメッセージが正確なエラーチェックコードと共に復号された場合に、前記第１のアンテナ及び前記第２のアンテナの一方のみを介した信号受信と、前記第１の受信器及び前記第２の受信器の一方のみによる信号処理とを再度有効化するステップと、
を備えることを特徴とする方法。
【請求項１８】
受信信号品質が事前決定された閾値を超える場合にのみ、前記ページ指標チャネルを復号するステップを更に備える
ことを特徴とする請求項１７に記載の方法。
【請求項１９】
事前決定された時間にわたって前記ページングチャネル上で正確なエラーチェックコードが復号されなかった場合に、前記第１のアンテナ及び前記第２のアンテナの両方を介した信号受信と、前記第１の受信器及び前記第２の受信器における信号処理とを有効化するステップを更に備える
ことを特徴とする請求項１７に記載の方法。
【請求項２０】
各アンテナを介して受信された信号品質の測定値に基づいて、前記ページ指標チャネルを受信するために前記第１のアンテナと前記第２のアンテナとの間で選択を行うステップを更に備える
ことを特徴とする請求項１７に記載の方法。
【発明の詳細な説明】
【技術分野】
【０００１】
［優先権］
本願は、２０１１年９月１３日に出願され、「ＡＤＡＰＴＩＶＥ  ＲＥＣＥＩＶＥ  ＤＩＶＥＲＳＩＴＹ  ＤＵＲＩＮＧ  ＤＩＳＣＯＮＴＩＮＵＯＵＳ  ＲＥＣＥＰＴＩＯＮ  ＩＮ  ＭＯＢＩＬＥ  ＷＩＲＥＬＥＳＳ  ＤＥＶＩＣＥ（移動ワイヤレスデバイスにおける不連続受信の間の適応的受信ダイバーシチ）」と題された、共同所有される同時係属の米国特許出願第１３／２３１，８０４号の優先権を請求するものであり、それを全体として参照により本願に援用する。
【０００２】
［技術分野］
記述する実施形態は、一般に、移動ワイヤレスデバイスのために受信ダイバーシチを適応させるための方法および装置に関する。詳細には、本願の実施形態は、複数の受信器と複数のアンテナとを備えた移動ワイヤレスデバイスについて、不連続受信モードの間に受信ダイバーシチを選択的に使用することについて記述する。
【背景技術】
【０００３】
ワイヤレスネットワーク内の移動ワイヤレスデバイスは、特に、「スマート」フォンの中で提供される機能のような「高性能の」機能を提供する小型のデバイス内では、限られた利用可能な電力貯蔵と先端的な通信能力とをバランスさせるように設計されることがある。移動ワイヤレスデバイスによるアナログ信号受信および信号処理は、アクティブな時には大量の電力を消費して、移動デバイス内の電池の消耗に影響を与える可能性がある。無線周波数信号を連続受信すると、ワイヤレスネットワークとのアクティブな接続を確立または維持していない時でさえ、移動ワイヤレスデバイスの動作時間をいたずらに減らす恐れがある。「アイドル」状態では、移動ワイヤレスデバイスはワイヤレスネットワークにアクティブに接続していない可能性もあり、移動ワイヤレスデバイスは、電力消費を減らすために、連続的ではなく、選択的に信号を受信して処理することがありうる。移動ワイヤレスデバイスにおけるアクティブな回路部は、ワイヤレスネットワークからシグナリングメッセージを受信して復号するのに必要なコンポーネントに限定されることがありうる。ワイヤレス通信標準は、不連続受信（ＤＲＸ）として知られるプロセスにおいて、移動ワイヤレスデバイスが非アクティブな「スリープ」状態とアクティブな「覚醒」状態とを周期的に繰り返すことを可能にすることによって、電力消費を低減させうる手順を指定することがある。また、比較的新しい移動ワイヤレスデバイスは、複数の受信器に接続された複数のアンテナを含むことがあり、それらが個々に電力を消費する可能性がある。アクティブな覚醒サイクルの間、移動ワイヤレスデバイスは、ワイヤレス受信の性能とローカルな電池の電力消費とをバランスさせるために、１つ以上のアンテナを介して選択的に信号を受信することによって、使用されるアンテナの数と、受信信号条件に基づいて信号を処理するアクティブな受信器の数とを適応させることがある。
【０００４】
新しい通信技術が発達して標準化されるにつれて、ワイヤレスネットワークは進化を続けている。現在のワイヤレスネットワーク展開では、１社以上のワイヤレス・ネットワーク・サービス・プロバイダが多様なワイヤレス通信技術をサポートすることを含めて、アーキテクチャに多くの差異が存在する。ワイヤレス・ネットワーク・サービス・プロバイダ用の代表的なワイヤレスネットワークは、第三世代パートナシッププロジェクト（３ＧＰＰ）および第三世代パートナシッププロジェクト２（３ＧＰＰ２）通信標準化機構によって仕様が定められたワイヤレス通信プロトコルの１つ以上のリリースのサポートを含んでいることがある。３ＧＰＰは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＧＰＲＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）、ＬＴＥ  Ａｄｖａｎｃｅｄといった標準のリリースを含む移動通信標準を策定している。３ＧＰＰ２は、ＣＤＭＡ２０００  １ｘＲＴＴ標準を含む移動通信標準を策定している。上記の個々の標準には、不連続受信（ＤＲＸ）の形態が含まれていて、移動ワイヤレスデバイス内の１つ以上の受信器（または送受信器）が電力消費を節約するため周期的に使用不能にされ、次いで、ワイヤレスネットワークによって送信されるシグナリングメッセージを聴取するために選択的に使用可能にされるようになっている。シグナリングメッセージを用いて特定の移動ワイヤレスデバイスとワイヤレスネットワークとの間の接続が開始されるだけでなく、複数の移動ワイヤレスデバイスに情報が同報されてワイヤレスネットワーク内で動作が行われてもよい。
【０００５】
代表的なシグナリングメッセージには、１つ以上のページング指標チャネルで送信されるページング指標や、並行するページング（シグナリング／制御）チャネルで送信されるページングメッセージ（またはより一般的には、シグナリング／制御メッセージ）などが含まれる。移動ワイヤレスデバイスは、ページングチャネルを直接監視してもよいし、ページングチャネル上の次のページングメッセージを指し示しうるページング指標を求めてページング指標チャネルを監視してもよい。ページング指標は、１ビット程の短さでありうるため、受信信号品質条件に変動があると、ページ指標ビットを破損したり、結果として移動ワイヤレスデバイスが、ページメッセージを逃したり、他の移動ワイヤレスデバイス向けのページメッセージを読み取ったりして、移動ワイヤレスデバイス内の電力消費をいたずらに浪費する可能性がある。移動ワイヤレスデバイスは、シグナリングメッセージの受信を改善するために、受信信号品質および／または受信信号強度の測定値に基づいて受信を適応させてもよい。移動ワイヤレスデバイスは、ページング指標チャネル上のページング指標および／またはページングチャネル上のページングメッセージの信号受信を改善するために、複数の受信器を有効化してもよい。複数のアンテナと複数の受信器とを使って受信ダイバーシチをサポートする移動ワイヤレスデバイスの場合、信号受信の間の電力消費は、アクティブな受信器の数に依存することがある。受信される復号の性能は、１つ以上のアンテナを介して受信される信号の品質に依存することがあり、個々のアンテナは、１つ以上の受信器に接続されることがある。従って、ワイヤレスネットワーク内での不連続受信の間に電力消費を制限すると同時に信号受信を改善しうる、移動ワイヤレスデバイスにおける受信ダイバーシチを適応させる方法および装置の必要性がある。
【発明の概要】
【０００６】
一実施形態では、移動ワイヤレスデバイスにおいて受信ダイバーシチを適応させる方法を説明する。方法は、少なくとも以下のステップを含んでいる。不連続受信サイクルの間に、移動ワイヤレスデバイスが、ページ指標および／またはページメッセージを１つ以上のアンテナを介して復号する。ダウンリンク信号品質の測定値が所定の閾値を超えた場合、移動ワイヤレスデバイスは、ページ指標チャネル上で最初のアンテナを介して受信された少なくとも１つのページ指標を復号する。ダウンリンク信号品質の測定値が所定の閾値を超えなかった場合、移動ワイヤレスデバイスは、ページ指標チャネル上のページ指標を復号することなく、最初のアンテナを用いてページングチャネルを復号する。第１のページ指標が消去(erasure)として復号された場合、移動ワイヤレスデバイスは、ページングチャネル上で代替アンテナを介して受信されたページメッセージを復号する。移動ワイヤレスデバイスが、ページメッセージを最初のアンテナだけまたは代替アンテナだけを介して復号した場合であって、どの受信されたページメッセージも正確な誤り検査コード（エラーチェックコード）と共に復号されなかった場合には、移動ワイヤレスデバイスは、１つ以上のページメッセージを、受信ダイバーシチを用いて最初のアンテナだけでなく一緒に代替アンテナも介して、復号する。
【０００７】
別の実施形態では、移動ワイヤレスデバイスが、第１の受信器と、第２の受信器と、第１のアンテナと、第２のアンテナと、スイッチと、構成可能なプロセッサとを備えている。スイッチは、第１および第２の受信器を第１および第２のアンテナと相互接続している。プロセッサは、ページ指標チャネル上で受信したページ指標の復号に基づいて、第１のアンテナと第２のアンテナとの間でページングチャネルの信号受信を切り換えるように構成されている。プロセッサはさらに、ページングチャネル上で受信したページングメッセージの中の不正確な誤り検査コードを復号したことに続いて、第１および第２の両方のアンテナを介した信号受信と、第１および第２の受信器における信号処理とを有効化するように構成されている。また、プロセッサは、ページングチャネル上で受信した複数の連続的なページングメッセージに関する複数の正確な誤り検査コードを復号したことに続いて、第１および第２のアンテナのうちの１つだけ、ならびに第１および第２の受信器のうちの１つだけを介した信号受信を再度有効化するようにも構成されている。
【０００８】
別の実施形態では、移動ワイヤレスデバイスの中で受信ダイバーシチを適応させる、非一時的なコンピュータ可読媒体の中に符号化された非一時的なコンピュータプログラム製品について記述する。移動ワイヤレスデバイスの中の非一時的なコンピュータプログラム製品は、少なくとも以下の非一時的なコンピュータプログラムコードを含んでいる。受信したダウンリンク信号品質の測定値に基づいて、１つのアンテナと１つの受信器とを介した、または、２つ以上のアンテナと２つ以上の受信器とを介した、シグナリングメッセージの受信を有効化するための非一時的なコンピュータプログラムコード。各アンテナを介して受信したダウンリンク信号品質の測定値に基づいて、どのアンテナを介して、また、どの受信器を介してシグナリングメッセージを受信するのかを選択するための非一時的なコンピュータプログラムコード。受信したシグナリングメッセージに関する複数の連続的な誤り検査コード失敗に続いて、単一アンテナ受信から複数アンテナ受信へと切り換えるための非一時的なコンピュータプログラムコード。受信したシグナリングメッセージに関する複数の連続的な誤り検査コード成功に続いて、複数アンテナ受信から単一アンテナ受信へと切り換えるための非一時的なコンピュータプログラムコード。
【０００９】
一般的なワイヤレスネットワークおよび特定のＣＤＭＡ２０００  １ｘワイヤレスネットワークの点から記述しているが、本明細書で開示する実施形態は、その他のＧＳＭ／ＧＰＲＳ、ＵＭＴＳ、ＬＴＥおよびＬＴＥ  Ａｄｖａｎｃｅｄのようなワイヤレスネットワークも含むように拡張することができる。
【図面の簡単な説明】
【００１０】
記述する実施形態およびその利点は、添付の図面と共に以下の記述を参照することによって最も良く理解されるであろう。
【００１１】
【図１】一般的なワイヤレス通信ネットワークのコンポーネントを示す図である。
【００１２】
【図２】ＵＭＴＳワイヤレス通信ネットワークのコンポーネントを示す図である。
【００１３】
【図３】ＣＤＭＡ２０００  １ｘワイヤレス通信ネットワークのコンポーネントを示す図である。
【００１４】
【図４】ＬＴＥワイヤレス通信ネットワークのコンポーネントを示す図である。
【００１５】
【図５】移動ワイヤレス通信デバイスの代表的なアーキテクチャを示す図である。
【００１６】
【図６】ワイヤレスネットワーク内の移動ワイヤレス通信デバイスについての状態遷移図である。
【００１７】
【図７】ワイヤレスネットワークのシステム捕捉の間の移動ワイヤレス通信デバイスについての状態遷移図である。
【００１８】
【図８】ＣＤＭＡ２０００  １ｘワイヤレスネットワークについてのページング指標チャネルおよびページング／制御チャネルを示す図である。
【００１９】
【図９】ＣＤＭＡ２０００  １ｘワイヤレスネットワークにおいてページング／制御チャネルを受信する移動ワイヤレスデバイスのスロッテッドモード不連続受信サイクルを示す図である。
【００２０】
【図１０Ａ】ＣＤＭＡ２０００  １ｘワイヤレスネットワークにおけるページングチャネル上のページングメッセージのフォーマットを示す図である。
【００２１】
【図１０Ｂ】ＣＤＭＡ２０００  １ｘワイヤレスネットワークにおける制御チャネル上の制御メッセージのフォーマットを示す図である。
【００２２】
【図１１】受信ダイバーシチをサポートする移動ワイヤレスデバイスにおけるデュアルポールデュアルスロースイッチの２つの構成を示す図である。
【００２３】
【図１２】復号されたページ指標値に基づく移動ワイヤレスデバイスについてのページ／制御チャネル動作を要約する図である。
【００２４】
【図１３Ａ】ＣＤＭＡ２０００  １ｘワイヤレスネットワークにおいて移動ワイヤレスデバイスのために受信ダイバーシチを適応させるための代表的な方法を示す図である。
【図１３Ｂ】ＣＤＭＡ２０００  １ｘワイヤレスネットワークにおいて移動ワイヤレスデバイスのために受信ダイバーシチを適応させるための代表的な方法を示す図である。
【００２５】
【図１４】ＣＤＭＡ２０００  １ｘワイヤレスネットワークにおいて移動ワイヤレスデバイスのために受信ダイバーシチを適応させるための別の代表的な方法を示す図である。
【図１５】ＣＤＭＡ２０００  １ｘワイヤレスネットワークにおいて移動ワイヤレスデバイスのために受信ダイバーシチを適応させるための別の代表的な方法を示す図である。
【図１６】ＣＤＭＡ２０００  １ｘワイヤレスネットワークにおいて移動ワイヤレスデバイスのために受信ダイバーシチを適応させるための別の代表的な方法を示す図である。
【図１７】ＣＤＭＡ２０００  １ｘワイヤレスネットワークにおいて移動ワイヤレスデバイスのために受信ダイバーシチを適応させるための別の代表的な方法を示す図である。
【図１８】ＣＤＭＡ２０００  １ｘワイヤレスネットワークにおいて移動ワイヤレスデバイスのために受信ダイバーシチを適応させるための別の代表的な方法を示す図である。
【図１９】ＣＤＭＡ２０００  １ｘワイヤレスネットワークにおいて移動ワイヤレスデバイスのために受信ダイバーシチを適応させるための別の代表的な方法を示す図である。
【発明を実施するための形態】
【００２６】
下記の記述では、記述する実施形態の底流を成す概念の十分な理解を提供するために、多くの特定の詳細が示されている。しかし、当業者には明らかであろうが、記述する実施形態は、これらの特定の詳細の一部または全部がなくても実施されうる。その他の例では、底流を成す概念をいたずらにあいまいにすることを避けるため、周知のプロセスのステップは詳細に記述していない。
【００２７】
以下に示す例および実施形態は、ワイヤレス移動デバイスにおける受信ダイバーシチを適応させる、特に、不連続受信サイクルの間複数のアンテナおよび複数の受信器を使って動作する移動ワイヤレスデバイスのために受信ダイバーシチの選択的使用を適応させるための各種の方法および装置について記述する。理解されるべきことだが、本明細書で記述するのと同じ方法および装置の実施が、別のタイプのワイヤレスネットワークで用いられる移動ワイヤレスデバイスにも適用されうる。例えば、同じ教示内容を、ＧＳＭネットワーク、ＵＭＴＳネットワーク、ＬＴＥネットワーク、または、不連続受信を用いるその他のワイヤレスネットワークに適用することができる。一般に、本明細書で記述する教示内容は、無線アクセス技術に基づいてワイヤレスネットワークで動作する移動ワイヤレスデバイスに適用することができる。本明細書で記述する特定の例および実装は、話を簡単にするためにＣＤＭＡ２０００  １ｘネットワークに関して提示しているが、その他のワイヤレスネットワーク環境にも適用することができる。
【００２８】
移動ワイヤレスデバイスは、データ転送速度の高速化、複数のタイプのワイヤレスネットワークへのアクセス、さまざまなレベルの雑音および干渉の存在下でのロバストな性能を含めて、高度な通信能力を提供することができる。同時に、移動ワイヤレスデバイスの各メーカは、移動ワイヤレスデバイス内で利用可能な電池の蓄電量が限られているため、電力消費を最小化することによって移動ワイヤレスデバイスの「スタンバイ」時間を改善しようとすることがある。従って、ロバストな性能と電力消費とのバランスが追求されうる。信号受信性能を改善するため、移動ワイヤレスデバイスは、複数のアンテナに相互接続された複数の受信器を備えることがある。同じ移動ワイヤレスデバイス内の別のアンテナで受信された信号は、それぞれ、ワイヤレスネットワーク内の送信側無線アクセスシステムに対するアンテナの位置および移動ワイヤレスデバイスの方向に依存して、異なる信号品質レベルと、異なる信号強度とを提供することができる。加えて、送信された信号をブロックおよび反射しうる介在する障害が、移動ワイヤレスデバイスでの信号受信に大きな影響を与えることがある。移動ワイヤレスデバイスは、信号および復号の測定値に基づいて複数のアンテナおよび受信器のうちの１つを用いることを選択することができる。また、移動ワイヤレスデバイスは、ワイヤレスネットワークから受信される重要なシグナリングメッセージの信頼性ある受信を実現するために必要に応じて複数のアンテナのうちの２つ以上を介して信号を受信するように、受信ダイバーシチを選択的に可能にすることもできる。移動ワイヤレスデバイスは、受信したダウンリンク信号強度および／または受信したダウンリンク信号品質の測定値を用いて、複数のアンテナの中から１つまたは複数のアンテナを選択し、それらを何時使うのかを選択することができる。
【００２９】
移動ワイヤレスデバイス内の１つ以上のアナログ受信回路部を介しての連続受信は、移動ワイヤレスデバイスが移動ワイヤレスネットワークにアクティブに接続されていない時間帯に受信した信号の選択的不連続受信より非常に多くの電力を消費する可能性がある。非スロッテッドモードを用いる場合、移動ワイヤレスデバイスは、移動ワイヤレスデバイスとワイヤレスネットワークとの間のアクティブな接続の確立を開始するのに用いられうるシグナリングメッセージをシグナリングチャネル上で連続的に聴取することがある。代表的なシグナリングメッセージには、ページングチャネル上で送信されるページングメッセージが含まれうる。ページングチャネルのようなシグナリングチャネルは、複数の移動ワイヤレスデバイス間で共有されうるため、ワイヤレスネットワークは、シグナリングチャネル上の送信を個別のスロットへと分割することがあり、ワイヤレスネットワークの無線セクタ（セル）によってカバーされる限定的な地理的エリア内の個々の移動ワイヤレスデバイスに、ページングチャネル上でページングメッセージを聴取するためのタイムスロットを割り当てることがある。従って、移動ワイヤレスデバイスは、連続的に聴取するのではなく、割り当てられたタイムスロットの間にシグナリングメッセージを優先的に聴取することがある。この選択的な聴取を、スロッテッドモードで動作していると呼んでもよい。加えて、移動ワイヤレスデバイスは、移動ワイヤレスデバイスに割り当てられていないタイムスロットの間、移動ワイヤレスデバイス内の１つ以上の受信器を使用不能にすることができ、移動ワイヤレスデバイスは、非スロッテッド連続受信モードではなくスロッテッド不連続受信モードで動作することによって、電力消費を減らすことができる。
【００３０】
ＣＤＭＡ２０００  １ｘネットワークのような一定のワイヤレスネットワークにおいては、例えばページング指標チャネルのような別個のシグナリングチャネルが、並行するページングチャネル上で次のシグナリング（ページング）メッセージの指標を移動ワイヤレスデバイスに提供することができる。ページ指標チャネル上のページング指標は、ページングメッセージより非常に短くて復号しやすい可能性があり、従って、より長い送信を直接ページングチャネル上でより複雑な回路部を使って聴取するのではなく、より短い送信をページング指標チャネル上でより単純な回路部を使って聴取することによって、移動ワイヤレスデバイスは、移動ワイヤレスデバイス向けのページングメッセージがない時には、さらに電力消費を削減することができる。移動ワイヤレスデバイスは、ページング指標チャネル上で肯定指標(positive indication)を受信すると、ページングチャネル上で後続のページングメッセージを聴取することができる。対照的に、移動ワイヤレスデバイスは、ページング指標チャネル上で否定指標(negative indication)を受信すると、ページングチャネルを聴取することを省略してスリープ状態に戻り、電力を節約することができる。
【００３１】
ページング指標チャネル上で受信されるメッセージは、例えば、わずか１ビットの長さというように非常に短い可能性があり、ページングチャネル上で移動ワイヤレスデバイス宛てのページングメッセージの肯定指標、否定指標、または不定指標(indefinite indication)と解釈されることがある。移動ワイヤレスデバイスは、ダウンリンク信号品質を測定し、ダウンリンク信号品質の測定値が所定の閾値を超えた場合、ページング指標チャネルを選択的に聴取することができる。良好な受信信号条件下では、ページング指標チャネル上のシングルビット指標は、ページングチャネル上で移動ワイヤレスデバイス宛てのページングメッセージの存在の信頼できる指標を提供することができる。しかし、ダウンリンク信号品質の測定値が所定の閾値を超えなかった場合、移動ワイヤレスデバイスは、その代わりに直接ページングチャネルを聴取することができ、悪い信号条件下のページング指標チャネル上で受信されたシングルビットは、ページングメッセージの入手可能性について信頼性のない指標を提供する恐れがあるため、ページング指標チャネルを無視することができる。ページング指標チャネルは、受信の信頼性を改善するためにページング指標の複数のコピーを含むことがある。移動ワイヤレスデバイスは、ページング指標の複数のコピーのうちの１つ以上を聴取することを選ぶこともできる。また、移動ワイヤレスデバイスは、ページング指標チャネル上で受信された１つ以上の指標ビットについて解釈された値に基づいて、別のアンテナから信号を受信することを選択することもできる。１つのアンテナを介して受信された指標ビットが「不定」と解釈されうる場合、移動ワイヤレスデバイスは、次のページングメッセージのもっと明確な指標を可能にするために、異なるアンテナを介して指標ビットの別のコピーを受信することを選ぶこともできる。
【００３２】
ページングチャネル上で受信される個々のページングメッセージには、ページングメッセージに含まれるデータの完全性を確認できる、例えば巡回冗長検査（ＣＲＣ）のような誤り検査コード（エラーチェックコード）が含まれていることがある。所定の時間帯についてページングチャネル上で「良好な」ＣＲＣを持つページングメッセージを見つけることができない場合、または、不正確な誤り検査コード、すなわち「悪い」ＣＲＣを持つ所定数の連続するページングメッセージを受信した後、雑音および干渉の存在下で信号受信を改善するため、移動ワイヤレスデバイスは、同時に複数のアンテナおよび受信器を介して受信すること、すなわち、フル受信ダイバーシチを可能にしてもよい。フル受信ダイバーシチは、受信信号条件が悪い場合に、より信頼性の高い信号受信を提供することができ、他方、単一のアンテナおよび単一の受信器による受信は、受信信号条件が良好な場合に、電力消費の削減を提供することができる。フル受信ダイバーシチは、ページングチャネル上で信号を受信するのに用いられる可能性があり、他方、単一アンテナ単一受信器での受信は、ページング指標チャネルとページングチャネルとのいずれで受信される信号にも用いられうる。
【００３３】
これらの実施形態およびその他の実施形態について、以下で図１乃至図１５を参照して論じる。しかし、当業者なら、これらの図面に関して本明細書に示す詳細記述は、説明だけを目的としており、限定していると解釈されるべきでないことは容易に理解するであろう。
【００３４】
図１は、代表的な一般的なワイヤレスネットワーク１００を示す図であり、ここには、無線アクセスネットワーク１２８によって提供される無線セクタ１０４に無線リンク１２６によって接続される複数のワイヤレスデバイス１０２が含まれうる。各無線セクタ１０４は、選択された周波数で無線周波数キャリアを用いて関連の無線ノード１０８から広がる無線カバレージの地理的エリアを表している。無線セクタ１０４は、送信アンテナの構成に依存して、例えば、中央に配置された無線ノード１０８から外側に放射状に広がるほぼ完全な円または六角形、または隅部に配置された無線ノード１０８から指向性アンテナ用に広がる円錐形など、さまざまな幾何学的形状をしている可能性がある。無線セクタ１０４は、移動ワイヤレスデバイス１０２が、１つ以上の無線セクタ１０４から同時に信号を受信できるように、地理的エリアのカバレージが重なり合うことがある。各無線ノード１０８は、移動ワイヤレスデバイス１０２が１つ以上の無線リンク１２６によって接続することができる１つ以上の無線セクタ１０４を生成してもよい。移動ワイヤレスデバイス１０２と無線アクセスネットワーク１２８との間の移動局終端接続を形成するため、無線アクセスサブシステム１０６内の無線制御装置１１０が、ページメッセージのようなシグナリングメッセージを移動ワイヤレスデバイス１０２へ送信するよう無線ノードに指示してもよい。また、ネットワークによっては、無線制御装置１１０は、次のページメッセージの通知を移動ワイヤレスデバイス１０２に提供するために、ページ指標ビットのようなシグナリング指標をページメッセージより先に送信するように無線ノードに指示してもよい。ページメッセージを受信した時点で、かつ、無線アクセスネットワーク１２８とのシグナリングメッセージのさらなる交換に続いて、移動ワイヤレスデバイスは、ワイヤレスネットワーク１００とのアクティブな接続を形成してもよい。
【００３５】
一部のワイヤレスネットワーク１００では、移動ワイヤレスデバイス１０２は、２つ以上の無線セクタ１０４に同時に接続されてもよい。移動ワイヤレスデバイス１０２が接続される複数の無線セクタ１０４は、単一の無線ノード１０８からかまたは共通の無線制御装置１１０を共有しうる別個の無線ノード１０８から来ることもある。無線ノード１０８の集まりと関連の無線制御装置１１０とを、無線アクセスサブシステム１０６と呼ぶことがある。典型的には、無線アクセスサブシステム１０６の中の個々の無線ノード１０８は、アンテナタワー上に取り付けられた一組の無線周波数送受信装置を含むことがあり、各無線ノード１０８に接続される無線制御装置１１０は、送信および受信された無線周波数信号を制御して処理するための電子装置を含むことがある。無線制御装置１１０は、移動ワイヤレスデバイス１０２を無線アクセスネットワーク１２８に接続する無線リンク１２６の確立、維持管理、および解放を管理することがある。
【００３６】
無線アクセスネットワーク１２８は、移動ワイヤレスデバイス１０２に対する無線周波数無線リンク接続を提供するもので、コアネットワーク１１２にも接続しており、コアネットワーク１１２は、通常は音声トラヒックに用いられる回線交換領域１２２と、通常はデータトラヒックに用いられるパケット交換領域１２４とを含みうる。無線アクセスネットワーク１２８の無線アクセスサブシステム１０６の中の無線制御装置１１０は、コアネットワーク１１２の回線交換領域１２２内の回線交換局１１８とパケット交換領域内のパケット交換ノード１２０との両方に接続してもよい。回線交換局１１８は、音声呼のような回線交換トラヒックを公衆交換電話網（ＰＳＴＮ）１１４へルーティングしてもよい。パケット交換ノード１２０は、１組の「コネクションレス」データパケットのようなパケット交換トラヒックを公衆データ網（ＰＤＮ）１１６へルーティングしてもよい。
【００３７】
図２は、代表的なＵＭＴＳワイヤレス通信ネットワーク２００を示す図であり、ここには、コアネットワーク（ＣＮ）２３６に接続しうるＵＭＴＳ地上無線アクセス網（ＵＴＲＡＮ）２４２と通信しうる１つ以上のユーザ装置（ＵＥ）２０２が含まれうる。コアネットワーク２３６には、ＵＥ２０２を公衆交換電話網（ＰＳＴＮ）２３２に接続しうる回線交換領域２３８と、ＵＥ２０２をパケットデータ網（ＰＤＮ）２３４に接続しうるパケット交換領域２４０とが含まれうる。ＵＴＲＡＮ２４２には、１つ以上の無線ネットワークサブシステム（ＲＮＳ）２０４／２１４が含まれていてもよく、その各々には、無線ネットワーク制御装置（ＲＮＣ）２０８／２１２と、対応するＲＮＣによって管理される１つ以上のノードＢ（基地局）２０６／２１０／２１６とが含まれうる。ＵＴＲＡＮ２４２内のＲＮＣ２０８／２１２は相互接続され、制御情報を交換してＵＥ２０２から受信したかまたはＵＥ２０２に宛てられたパケットを管理してもよい。個々のＲＮＣ２０８／２１２は、セル２４４についての無線リソースの割当てと管理とを処理してもよく、セル２４４を介してＵＥ２０２はワイヤレスネットワーク２００に接続しており、コアネットワーク２３６に関してＵＥ２０２についてのアクセスポイントとして機能することができる。接続を確立するため、ＲＮＣ２０８／２１２は、関連のノードＢ２０６／２１０／２１６を介して一連のシグナリングメッセージを用いてＵＥ２０２と通信してもよい。ノードＢ２０６／２１０／２１６は、ＵＥ２０２の物理レイヤによって送信された情報を上りリンクを介して受信して、データをＵＥ２０２へダウンリンクを介して送信し、ＵＥ２０２についてのＵＴＲＡＮ２４２のアクセスポイントとして動作することができる。
【００３８】
ＵＴＲＡＮ２４２は、ＵＥ２０２とコアネットワーク２３６との間の通信を構築して、通信用の無線アクセスベアラ（ＲＡＢ）を維持してもよい。特定のＵＥ２０２に提供されるサービスには、回線交換（ＣＳ）サービスとパケット交換（ＰＳ）サービスとが含まれうる。例えば、一般的な音声会話は、回線交換サービスを介してトランスポートされてもよく、他方、ウェブ閲覧アプリケーションは、パケット交換（ＰＳ）サービスとして分類されうるインターネット接続を介してワールドワイドウェブ（ＷＷＷ）へのアクセスを提供してもよい。回線交換サービスをサポートするため、ＲＮＣ２０８／２１２は、コアネットワーク２３６の移動通信交換局（ＭＳＣ）２２８に接続してもよく、ＭＳＣ２２８は、ゲートウェイ移動通信交換局（ＧＭＳＣ）２３０に接続してもよく、ＧＭＳＣ２３０は、ＰＳＴＮ２３２のようなその他のネットワークへの接続を管理してもよい。また、パケット交換サービスをサポートするため、ＲＮＣ２０８／２１２は、在圏ＧＰＲＳサポートノード（ＳＧＳＮ）２２４に接続してもよく、ＳＧＳＮ２２４は、コアネットワーク２３６の関門ＧＰＲＳサポートノード（ＧＧＳＮ）２２６に接続してもよい。ＳＧＳＮ２２４は、ＲＮＣ２０８／２１２とのパケット通信をサポートしてもよく、ＧＧＳＮ２２６は、ＰＤＮ２３４のようなその他のパケット交換ネットワークとの接続を管理してもよい。代表的なＰＤＮ２３４は、「インターネット」であってもよい。
【００３９】
図３は、代表的なＣＤＭＡ２０００ワイヤレスネットワーク３００を示す図であり、ここには、一般的なワイヤレスネットワーク１００およびＵＭＴＳワイヤレスネットワーク２００に関してすでに述べた要素と対比しうる要素が含まれうる。複数の移動局３０２は、無線周波数リンク３２６を介して１つ以上の無線セクタ３０４に接続することができる。各無線セクタ３０４は、無線基地局装置（ＢＴＳ）３０８から外側に放射状に広がってもよく、無線基地局装置（ＢＴＳ）３０８は基地局制御装置（ＢＳＣ）３１０に接続して、一緒に基地局サブシステム（ＢＳＳ）３０６を形成してもよい。複数の基地局サブシステム３０６がまとまって、無線アクセスネットワーク３２８を形成してもよい。異なる基地局サブシステム３０６の中の基地局制御装置３１０が、相互接続されてもよい。基地局制御装置３１０は、複数の移動通信交換局（ＭＳＣ）３１８を用いる回線交換領域３２２と、パケットデータサービスノード（ＰＤＳＮ）３２０で形成されるパケット交換領域３２４との両方に接続してもよく、それらが一緒になって、ワイヤレスネットワーク３００のためのコアネットワーク３１２を形成してもよい。前述したその他のワイヤレスネットワーク１００／２００の場合と同じく、コアネットワーク３１２の回線交換領域３２２は、ＰＳＴＮ１１４と相互接続されてもよく、他方、コアネットワーク３１２のパケット交換領域３２４は、ＰＤＮ１１６に相互接続されてもよい。
【００４０】
図４は、パケット交換ネットワーク専用として設計された代表的なＬＴＥ（Ｌｏｎｇ  Ｔｅｒｍ  Ｅｖｏｌｕｔｉｏｎ）ワイヤレスネットワーク４００のアーキテクチャを示す図である。移動端末４０２は、進化型ノードＢ（ｅノードＢ）４１０から広がる無線セクタ４０４に関連する無線リンク４２６を介して進化型無線アクセスネットワーク４２２に接続してもよい。ｅノードＢ４１０は、（ＵＭＴＳネットワーク２００におけるノードＢ２０６およびＣＤＭＡ２０００ネットワーク３００におけるＢＴＳ３０８のような）送受信基地局の機能だけでなく（ＵＭＴＳネットワーク２００におけるＲＮＣ２１２およびＣＤＭＡ２０００ネットワーク３００におけるＢＳＣ３１０のような）基地局無線制御装置の機能も備えている。ＬＴＥワイヤレスネットワーク４００と同等のコアネットワークは進化型パケットコアネットワーク４２０であって、進化型パケットコアネットワーク４２０には在圏ゲートウェイ４１２が含まれ、在圏ゲートウェイ４１２は進化型無線アクセスネットワーク４２２を公衆データネットワーク（ＰＤＮ）ゲートウェイ４１６に相互接続し、また、公衆データネットワーク（ＰＤＮ）ゲートウェイ４１６は、外部インターネットプロトコル（ＩＰ）ネットワーク４１８に接続している。複数のｅノードＢ４１０が一緒にまとめられて進化型ＵＴＲＡＮ（ｅＵＴＲＡＮ）４０６を形成してもよい。また、ｅノードＢ４１０は、移動端末４０２についての接続の制御を提供しうる移動性管理エンティティ（ＭＭＥ）４１４に接続されてもよい。
【００４１】
図５は、移動ワイヤレスデバイス１０２用として用いられうるアーキテクチャ５００の選ばれた要素を示す図である。移動ワイヤレスデバイス１０２は、第１のワイヤレス通信プロトコルに従って信号を処理しうる第１の送受信機５０４と、第２の通信プロトコルに従って信号を処理しうる第２の送受信機５０６とを備えていてもよい。第１および第２のワイヤレス通信プロトコルは、同一であってもよいし、異なっていてもよい。第１の送受信機５０４と第２の送受信機５０６との回路部および性能は、同一であってもよいし、異なっていてもよい。代表的な実施形態では、第１の送受信機５０４はワイヤレス信号の送信と受信とができるのに対し、第２の送受信機は、ワイヤレス信号を受信することだけできて、送信できない。第１の送受信機５０４は、第２の送受信機５０６と相互接続されてもよく、干渉を最小化するために互に制御情報を提供し合って協調的な送受信を可能にしてもよい。第１の送受信機５０４も第２の送受信機５０６もいずれも、各種の常駐アプリケーションサービス用の接続の確立と解放とを要求することのような、高位レイヤ機能を提供しうるアプリケーションプロセッサ（ＡＰ）５０２に接続されてもよい。接続の確立には、送受信機５０４／５０６のいずれかを介してかまたは送受信機５０４／５０６の両方を同時に介して受信されるページングメッセージのような、シグナリングメッセージの受信が含まれうる。送受信機５０４／５０６は、信頼性のあるビットレベルの送信および受信のような、アプリケーションプロセッサ５０２によって制御される高位レイヤサービス用のデータメッセージの通信をサポートしうる低位レイヤの機能を提供してもよい。
【００４２】
第１の送受信機５０４は、第１のアンテナ５０８または第２のアンテナ５１０に接続されてもよく、また、第２の送受信機５０６は、デュアルポールデュアルスロー（ＤＰＤＴ）スイッチ５１２を介して同様に第１のアンテナ５０８または第２のアンテナ５１０に接続されてもよい。ワイヤレス通信に複数のアンテナを使用すると、単一アンテナ構成に比べて性能の向上（例えば、データ速度の高速化や干渉に対する予防の向上）がもたらされることがある。一方のアンテナが他方のアンテナより強い信号を提供してもよいし、移動ワイヤレスデバイス１０２における信号受信および復号を向上させる目的で、両方のアンテナが信号を受信するために同時に用いられてもよい。ＤＰＤＴスイッチは、「直線状」接続と「交差」構成との２つの位置のうちのいずれか１つで動作してもよい。ＤＰＤＴスイッチ５１２を用いると、いずれの送受信機５０４／５０６であっても、いずれのアンテナ５０８／５１０にも接続することができる。個々の送受信機５０４／５０６は、一時に単一のアンテナ５０８／５１０に接続することができ、どちらの送受信機５０４／５０６も、別個のアンテナ５０８／５１０に同時に接続することができるが、同じアンテナ５０８／５１０に同時に接続することはできない。
【００４３】
図６は、ワイヤレスネットワーク１００に関連付けられて接続する場合の移動ワイヤレスデバイス１０２についての（およびＣＤＭＡ２０００ワイヤレスネットワーク３００で動作する移動局３０２についての）高レベル状態遷移図６００を示す図である。移動ワイヤレスデバイス１０２は、最初はワイヤレスネットワーク１００から切断され、電源オフ状態６０２であってもよい。電源オンの後、移動ワイヤレスデバイス１０２は、初期化状態６０４に入ってもよく、その間、移動ワイヤレスデバイス１０２は、移動ワイヤレスデバイス１０２が関連付けられて接続することのできる１つ以上の無線セクタ１０４を（または同等にセルを）ワイヤレスネットワーク１００内で見つけてもよい。移動ワイヤレスデバイス１０２は、送信を受信する周波数帯を知っていてもよく、また、ワイヤレスネットワーク１００によって同報されるパイロット信号のような物理チャネルを探索することによって、無線セクタ１０４を見つけてもよい。移動ワイヤレスデバイス１０２は、ワイヤレスネットワーク１００に登録して自分の存在を示し、それによって、接続を開始して受信（終了）するための自分の利用可能性をワイヤレスネットワーク１００に認識させてもよい。
【００４４】
ワイヤレスネットワーク１００を捕捉した後、移動ワイヤレスデバイス１０２は、「アイドル」状態６０６に入ってもよい。電力節約モードをサポートしているワイヤレスネットワーク１００の場合、アイドル状態６０６には、移動ワイヤレスデバイス１０２の各部が電力消費量を下げる時間帯が含まれうる。移動ワイヤレスデバイス１０２は、ワイヤレスネットワーク１００からページメッセージを受信するための、ワイヤレスネットワーク１００に知られている適切な時間間隔の間は電力消費量が上げられてもよい。ページメッセージには、ワイヤレスネットワーク内の複数の移動ワイヤレスデバイス１０２に対して同報される情報だけでなく、具体的な移動ワイヤレスデバイス１０２を対象とした特定のメッセージも含まれうる。ページメッセージを受信した後、移動ワイヤレスデバイス１０２は、システムアクセス状態６０８に入ってもよく、その間、移動ワイヤレスデバイス１０２は、ワイヤレスネットワーク１００と無線リソースを確立し、それを使ってトラヒックアクティブ状態６１０でワイヤレスネットワーク１００とトラヒック（音声／動画／データ／メッセージ）を通信してもよい。アクティブな接続は、その後、移動ワイヤレスデバイス１０２またはワイヤレスネットワーク１００によって切断されてもよく、移動ワイヤレスデバイス１０２は、トラヒックアクティブ状態６１０からアイドル状態６０６に復帰して、その後の接続のためにページを待機してもよい。
【００４５】
図７は、図６の初期化状態６０４を実行する時に移動ワイヤレスデバイス１０２が通過しうる１組の副状態７００を示す図である。電源オフ状態６０２から電力消費を上げた後、移動ワイヤレスデバイス１０２は、システム判定副状態７０２に入ってもよい。システム判定副状態７０２では、移動ワイヤレスデバイス１０２は、使用するワイヤレスシステムとしてワイヤレスネットワーク１００を選択してもよい。ワイヤレスネットワーク１００システムの選択に続いて、移動ワイヤレスデバイス１０２は、パイロットチャネル捕捉副状態７０４においてパイロットチャネルを探索および捕捉することによって、選択されたワイヤレスネットワーク１００システムを捕捉してもよい。パイロットチャネルが捕捉された後、移動ワイヤレスデバイス１０２は、同期チャネル捕捉副状態７０６に入ってもよい。パイロットチャネル捕捉副状態７０４にある間の所定の時間帯の範囲内にパイロットチャネルが移動ワイヤレスデバイス１０２によって捕捉されない場合、移動ワイヤレスデバイス１０２は、パイロット捕捉失敗を示すシステム判定副状態７０２に復帰してもよい。パイロットの捕捉が成功した後、移動ワイヤレスデバイス１０２は、同期チャネル捕捉副状態７０６においてシステム構成とタイミング情報とをワイヤレスネットワーク１００から入手することができる。同期チャネル捕捉が完了した後、移動ワイヤレスデバイス１０２は、タイミング調整副状態７０８に入って、移動ワイヤレスデバイス１０２におけるタイミングを、選択されたワイヤレスネットワーク１００と同期させてもよい。システム捕捉が完了すると、移動ワイヤレスデバイス１０２は、アイドル状態６０６に入り、ワイヤレスネットワーク１００によって送信されるシグナリングメッセージを求めて１つ以上のシグナリングチャネルを監視してもよい。代表的なＣＤＭＡ２０００ワイヤレスネットワークの実施形態では、アイドル状態６０６にある移動局３０２は、ページングチャネル（ＰＣＨ）、クイックページングチャネル（ＱＰＣＨ）、前方共通制御チャネル（Ｆ−ＣＣＣＨ）および一次同報制御チャネル（ＰＢＣＨ）を含みうる１つ以上のチャネルを監視してもよい。移動局３０２は、いつ移動局３０２がシグナリングメッセージを求めて並行するページングチャネルまたは前方共通制御チャネルを聴取すべきなのかを判定しうるページ指標を求めてクイックページングチャネルを監視してもよい。クイックページングチャネルを限定された短い時間間隔だけ聴取することによって、移動局３０２は、アイドル状態６０６において、クイックページングチャネルを聴取していない時には、例えばアナログ受信回路部のような、選択された内部コンポーネントの電力消費量を下げることによって、電力を節約することができる。
【００４６】
図８は、ＣＤＭＡ２０００  １ｘワイヤレスネットワーク３００で動作する移動局３０２についての代表的なスロッテッドモード８００送信スキームを示す図である。ページングチャネル（Ｆ−ＰＣＨ）または前方共通制御チャネル（Ｆ−ＣＣＣＨ）上での送信は、一連の等間隔のタイムスロット８０４に分割することができる。個々のＰＣＨ／Ｆ−ＣＣＣＨスロット８０４は、８０ｍｓに達することがあり、一連の２０４８個の連続的なＰＣＨ／Ｆ−ＣＣＣＨスロット８０４の最大スロットサイクル長は、２０４８×８０ｍｓ＝１６３．８４秒にもなりうる。移動局３０２は、所定のアルゴリズムに基づいて０から２０４７までの整数の範囲内でスロット番号を判定することができ、また、１．２８秒のＴ倍に等しいスロットサイクル長を判定することもでき、ここで、Ｔ＝２ｉであり、整数ｉは、一組の整数値、例えば｛０，１，２，３，４，５，６，７｝から取られたスロットサイクル指標である。例えば、スロットサイクル指標ｉ＝０の場合、移動局３０２には、１．２８ｓの１倍数＝１６×８０ｍｓタイムスロットの間隔のスロット８０４が割り当てられうる。スロットサイクル指標ｉ＝２の場合、移動局３０２には、１．２８ｓの２２＝４倍＝６４×８０ｍｓタイムスロットの間隔のスロット８０４が割り当てられうる。アイドル状態においてスロッテッドモードで動作している時、移動局３０２は、割り当てられたＰＣＨ／Ｆ−ＣＣＣＨタイムスロット８０４を聴取してもよく、また、バッテリ電力を節約するため、間にあるＰＣＨ／Ｆ−ＣＣＣＨタイムスロット８０４の間はスリープしてもよい。また、割り当てられたＰＣＨ／Ｆ−ＣＣＣＨタイムスロット８０４は、ワイヤレスネットワーク３００内の複数の移動局３０２に割り当てられうるため、ワイヤレスネットワーク３００は、ページングチャネルと並行するクイックページングチャネル（ＱＰＣＨ）８０６上で指標を送信してもよい。ＱＰＣＨ８０６チャネル上の指標は、並行するＰＣＨ／Ｆ−ＣＣＣＨ８０２チャネル上で次のメッセージの入手可能性について個別の移動局３０２に伝えてもよい。
【００４７】
図８に示すように、ＱＰＣＨ８０６チャネルは、連続的な８０ｍｓＱＰＣＨスロット８２２（各ＱＰＣＨスロット８２２は、対応するＰＣＨ／Ｆ−ＣＣＣＨスロット８０４と同じ長さを有する）に分割され、各ＱＰＣＨスロット８２２は、４つの隣接する２０ｍｓ時間間隔８０８に分割されてもよい。ＱＰＣＨ８０６チャネル上でＱＰＣＨスロット８２２の中で伝えられる指標は、ＰＣＨ／Ｆ−ＣＣＣＨ８０２チャネル上の後続のＰＣＨ／Ｆ−ＣＣＣＨスロット８０４の中で移動局３０２向けのシグナリングメッセージの入手可能性を移動局３０２に認識させてもよい。代表的な一実施形態では、ＱＰＣＨスロット８２２の中で送信される指標は１ビットであり、それが、ＱＰＣＨスロット８２２の２つの別個の隣接していない時間間隔８０８の中で繰り返されてもよい。移動局３０２は、割り当てられたクイックページングチャネルスロット８２２の中のページング指標を監視してもよく、クイックページングチャネルスロット８２２は、関連のＰＣＨ／Ｆ−ＣＣＣＨスロット８０４より前にオフセットされていることがある。２つのページング指標が、ＱＰＣＨスロット８２２のうち、ＱＰＣＨ間隔１と３、またはＱＰＣＨ間隔２と４の中で送信されてもよい。第１の移動局３０２（ＭＳ１）のための第１のＱＰＣＨページ指標ＰＩ１  ８１０が、ＱＰＣＨ間隔１の中で送信され、ＱＰＣＨ間隔３の中で第１の移動局３０２（ＭＳ１）のための第２のページ指標ＰＩ２  ８１２として繰り返されてもよい。同様に、第２の移動局３０２（ＭＳ２）のための第１のＱＰＣＨページ指標ＰＩ１  ８１０が、ＱＰＣＨ間隔２の中で送信され、ＱＰＣＨ間隔４の中で第２の移動局３０２（ＭＳ２）のための第２のページ指標ＰＩ２  ８１２として繰り返されてもよい。また、ワイヤレスネットワーク３００は、ＱＰＣＨスロット８２２の中で同報指標（ＢＣＳＴ  ＩＮＤ）８１８と構成変更指標（ＣＯＮＦＩＧ  ＣＨＧ  ＩＮＤ）８２０を送信してもよい。同報指標および構成変更指標は、ワイヤレスネットワーク３００内で無線セクタ３０４に現在関連付けられているすべての移動局３０２に向けられてもよい。
【００４８】
移動局３０２は、ＱＰＣＨチャネル８０６の割り当てられたＱＰＣＨスロット８２２の中のページング指標８１０／８１２を監視してもよく、そして、移動局３０２が「オフ」ページング指標ビット値を検出した場合、移動局３０２は、ＰＣＨ／Ｆ−ＣＣＣＨ８０２チャネルの関連のＰＣＨ／Ｆ−ＣＣＣＨスロット８０４を監視するのを差し控えてもよい。移動局３０２が、第１のページング指標ビット８１０と第２のページング指標ビット８１２との両方で「オン」指標ビット値を検出した場合、移動局３０２は、ＰＣＨ／Ｆ−ＣＣＣＨ８０２チャネルの関連のＰＣＨ／Ｆ−ＣＣＣＨスロット８０４を、ページング（制御／シグナリング）メッセージを求めて監視してもよい。移動局３０２が「消去」ページング指標ビット値（すなわち、明確な「オン」でも明確な「オフ」でもない）を検出した場合、検出されたページング指標ビット値はあいまいであって、ＰＣＨ／Ｆ−ＣＣＣＨ８０２チャネル上の直後のＰＣＨ／Ｆ−ＣＣＣＨスロット８０４上のシグナリングメッセージの存在も示さず、欠如をも示さないため、移動局３０２は、ＰＣＨ／Ｆ−ＣＣＣＨ８０２チャネル上の関連のＰＣＨ／Ｆ−ＣＣＣＨスロット８０４を監視してもよい。ＱＰＣＨチャネル８０６上のページング指標ビット値８１０／８１２を監視することは、対象となるシグナリングメッセージが存在しない場合に移動局３０２がＰＣＨ／Ｆ−ＣＣＣＨ８０２チャネルの監視を回避することができるため、バッテリ電力を節約することができる。ＱＰＣＨチャネル８０６上で１ビットまたは２ビットについて監視することは、ＰＣＨ／Ｆ−ＣＣＣＨ８０２チャネル上でシグナリングメッセージ全体を監視するよりも、消費される処理電力が少ない可能性がある。
【００４９】
図９は、１６個の連続するタイムスロットのスロットサイクル９０８を持つＰＣＨ／Ｆ−ＣＣＣＨ８０２チャネル上の移動局３０２のスロッテッドモード９００の動作を示す図である。図示する代表的な例では、移動局３０２に、連続的なスロットサイクル９０８で２／１８／３４／．．．と番号を付けられたタイムスロットが割り当てられてもよい。ＰＣＨ／Ｆ−ＣＣＣＨ８０２チャネルを直接監視していない場合、移動局３０２は、大半のスロットについて「スリープ」し、ワイヤレスネットワーク３００を再捕捉するために「覚醒し」て、スロットサイクル９０８の中の割り当てられたスロットを監視してもよい。移動局３０２は、割り当てられたＰＣＨ／Ｆ−ＣＣＣＨ８０２チャネルスロットおよび直前のＰＣＨ／Ｆ−ＣＣＣＨ８０２チャネルスロット以外では、非アクティブ状態９０２であってもよい。例えば、スロット１の間に移動局３０２はスリープ状態から覚醒して、ＰＣＨ／Ｆ−ＣＣＣＨチャネル８０２のスロット２の間にシグナリングメッセージを監視して受信する前に、ワイヤレスネットワーク３００を再捕捉してもよい。割り当てられたスロットの間に信号を受信した後、移動局３０２は、非アクティブ状態９０２に戻り、後で、ＰＣＨ／Ｆ−ＣＣＣＨ８０２チャネル上で連続的な個々のスロットサイクル９０８において割り当てられたスロットについての再捕捉と受信とを繰り返してもよい。関連のＱＰＣＨチャネル８０６（図示せず）を監視する場合、移動局３０２は、ＰＣＨ／Ｆ−ＣＣＣＨ８０２チャネルについて図９で示すスロッテッドサイクリックモードと同様のやり方で、スリープし、ＱＰＣＨチャネル８０６上で指標ビットを再捕捉し、受信してもよい。受信したページング指標ビットがそのように示す場合、移動局３０２は、ＰＣＨ／Ｆ−ＣＣＣＨチャネル８０２上の関連のタイムスロットの中でシグナリングメッセージを受信してもよい。（また、指標ビットが結論に到達しない場合、移動局３０２は、所期のページングメッセージをうっかり見逃してしまわないように、ＰＣＨ／Ｆ−ＣＣＣＨチャネル８０２内のタイムスロットを監視してもよい。）ＱＰＣＨチャネル８０６上で受信した指標ビットが、ＰＣＨチャネル上でメッセージを示さない場合には、移動局３０２は、ＰＣＨチャネルを読み取るのを避けて、次のスロットサイクル９０８まで非アクティブ状態９０２でスリープしてもよい。
【００５０】
図１０Ａは、ＰＣＨ／Ｆ−ＣＣＣＨチャネル８０２上のＰＣＨスロット１０１４の中でレイヤ２シグナリングＰＣＨメッセージ１００６を送信するためのフォーマット１０００を示す図である。また、レイヤ２シグナリングＰＣＨメッセージ１００６は、レイヤ２カプセル化プロトコルデータユニット（ＰＤＵ）と呼ばれることもある。ＰＣＨスロット１０１４は、８つのハーフフレームを含むことがあり、各ハーフフレームは、８０ｍｓＰＣＨタイムスロット１０１４のうちの１０ｍｓを占めていてもよい。各ハーフフレームには、同期カプセル指標（ＳＣＩ）ビット１００４が含まれてもよく、これはＰＣＨメッセージ１００６の開始（ＳＣＩ＝１）または継続（ＳＣＩ＝０）を表し、それにハーフフレーム本体が続いてもよい。別個のハーフフレームからの複数のハーフフレーム本体を一緒に集めて、単一のＰＣＨメッセージ１００６を形成してもよい。単一のＰＣＨタイムスロット１０１４の範囲内に、複数のＰＣＨメッセージ１００６が含まれてもよい。ＰＣＨメッセージ１００６は、図１０Ａに示すように、長さセグメント１００８と、本体セグメント１０１０と、レイヤ２巡回冗長検査（ＣＲＣ）セグメント１０１２とを含むようにフォーマットされてもよい。長さセグメント１００８は、ＰＣＨメッセージ１００６の中のビット／バイト数を表し、ＣＲＣセグメント１０１２は、誤り検査能力を提供してもよい。移動局３０２は、受信したＰＣＨ本体１０１０に基づいてＣＲＣを計算し、計算したＣＲＣを受信したＣＲＣセグメント１０１２と比較してもよい。計算したＣＲＣは、受信したＣＲＣセグメント１０１２と合致することがあって、それは「正確に」受信したＣＲＣ、すなわち、ＣＲＣ「合格」判定だと考えることができ、あるいは、受信したＣＲＣセグメント１０１２と異なることもあり、それは、「不正確に」受信したＣＲＣ、すなわち、ＣＲＣ「失敗」判定だと考えることができる。「不正確に」受信したＣＲＣ「失敗」判定は、受信したＰＣＨ本体１０１０に１つ以上のビット誤りが存在する可能性があることを表すことがあり、従って受信して復号されたＰＣＨメッセージ１００６は、信頼性がないと考えてもよい。
【００５１】
図１０Ｂは、ＰＣＨ／Ｆ−ＣＣＣＨチャネル８０２上のＦ−ＣＣＣＨスロット１０２２の中でレイヤ２シグナリングＦ−ＣＣＣＨメッセージ１０２６を送信するためのフォーマット１０２０を示す図である。レイヤ２Ｆ−ＣＣＣＨメッセージ１０２６は、レイヤ２ＰＣＨメッセージ１００６に似ていて、長さセグメントレイヤ１０２８と、Ｆ−ＣＣＣＨ本体１０３０と、レイヤ２ＣＲＣセグメント１０３２とを有する。移動局３０２は、ＰＣＨメッセージ１００６について記述したのと同じやり方で、レイヤ２Ｆ−ＣＣＣＨメッセージ１０２６について、計算したＣＲＣを受信したレイヤ２ＣＲＣセグメント１０３２と比較してもよい。レイヤ２Ｆ−ＣＣＣＨメッセージ１０２６は、一組のＦ−ＣＣＣＨリンクアクセス制御（ＬＡＣ）プロトコルデータユニット（ＰＤＵ）の断片にセグメント化されてもよい。セグメント化指標（ＳＩ）１０２４が、各Ｆ−ＣＣＣＨ  ＬＡＣ  ＰＤＵ断片に付加されてもよく、複数の断片が、レイヤ１Ｆ−ＣＣＣＨフレームを形成してもよい。レイヤ１Ｆ−ＣＣＣＨフレームには、追加のレイヤ１ＣＲＣが「ｋ」個の後部ビットと共に付加され、Ｆ−ＣＣＣＨスロット１０２２の中で送信されてもよい。各Ｆ−ＣＣＣＨフレームは、５、１０または２０ｍｓの持続時間を有しており、複数のＦ−ＣＣＣＨフレームが、８０ｍｓの長さでありうるＦ−ＣＣＣＨスロット１０２２の中に納まりうる。
【００５２】
移動局３０２が、ワイヤレスネットワーク３００内でＱＰＣＨ８０６チャネルを使ってスロッテッドモードで動作する場合、移動局３０２は、ＱＰＣＨページング指標ビット８１０／８１２についての観測された復号の結果に基づいて、移動局３０２内の１つ以上のアンテナおよび受信器から受信した信号の利用を判定してもよい。移動局３０２は、どの複数のアンテナから信号を受信するかを選択するだけでなく、ＱＰＣＨ  ＰＩ１およびＰＩ２ビット８１０／８１２についての測定値に基づいて、両方のアンテナを介して信号を受信するのかどうかを判定してもよい。加えて、移動局３０２は、その他の性能指標の測定値、例えば、使用すべきアンテナおよび受信器の数および選択に影響を与える、受信信号強度および／または受信信号品質の測定値を用いてもよく、それについては以下に述べる。
【００５３】
図１１は、移動ワイヤレスデバイス１０２（または移動局３０２）の複数のアンテナ５０８／５１０と複数の送受信機５０４／５０６との間の接続についての２つの異なる構成１１００／１１１０を示す図である。ＤＰＤＴスイッチ５１２が、「直線状」構成１１００において、第１のアンテナ５０８と第２のアンテナ５１０とを第１の送受信機５０４および第２の送受信機５０６にそれぞれ接続してもよい。加えて、ＤＰＤＴスイッチ５１２は、「交差」構成１１１０において、第１のアンテナ５０８と第２のアンテナ５１０とを第２の送受信機５０６および第１の送受信機５０４にそれぞれ接続してもよい。第１および第２の送受信機５０４／５０８がいずれも同じ通信プロトコルをサポートできる場合、移動ワイヤレスデバイス１０２は、いずれの構成で信号を受信するように構成されてもよい。第１の送受信機５０４の電力消費量を上げて第２の送受信機５０６の電力消費量を下げることによるような、単一送受信機モードで動作している場合、ＤＰＤＴスイッチ５１２は、「直線状」構成１１００における第１のアンテナ５０８か、「交差」構成１１１０における第２のアンテナ５１０かのいずれかから第１の送受信機５０４で信号を受信するように配置されてもよい。例えば、信号品質測度、信号強度測度、復号されたビット品質測度、またはその他の同様の性能測度のような瞬間的または平均による性能測度に基づいて、１つの構成が他の構成より選ばれてもよい。一実施形態では、ＱＰＣＨ８０６チャネル上で受信された復号されたビット値を用いて、ＤＰＤＴスイッチ５１２構成１１００と構成１１１０とのうちのどちらが、ＱＰＣＨ８０６チャネルビットの復号に用いられるのか、また、関連のＰＣＨ／Ｆ−ＣＣＣＨ８０２チャネルの受信および復号に用いられるのか、判定されてもよい。
【００５４】
図１２は、ＱＰＣＨ８０６チャネル上で受信される１つまたは２つの関連のページング指標ビット８１０／８１２の復号された値に基づいてＰＣＨ／Ｆ−ＣＣＣＨ８０２チャネル１０２のＰＣＨ／Ｆ−ＣＣＣＨ８０４タイムスロットについて移動ワイヤレスデバイス１０２が行う可能性のある動作のテーブル１２００を示す図である。移動ワイヤレスデバイス１０２は、スリープ状態から覚醒し、ＰＣＨ／Ｆ−ＣＣＣＨ８０２チャネルの対応するＰＣＨ／Ｆ−ＣＣＣＨタイムスロット８０４を読み取るかどうか判定するために、ＱＰＣＨ８０６チャネル上のページング指標ビットを読み取ってもよい。第１のページング指標ビットＰＩ１  ８１０が復号されて「オフ」値（例えばビット値＝０）となった場合、移動ワイヤレスデバイス１０２は、移動ワイヤレスデバイス１０２が聴取すべきシグナリングメッセージはＰＣＨ／Ｆ−ＣＣＣＨ８０２チャネル上に存在しないと判定してもよい。移動ワイヤレスデバイス１０２は、ページング指標チャネルＰＩ２  ８１２上で読み取った値に関係なく、この結論に達してもよい。一実施形態では、第１のページ指標ＰＩ１が、「オフ」のゼロ値に等しい場合、移動ワイヤレスデバイス１０２は、追加のバッテリ電力を節約するため、第２のページ指標ＰＩ２を読み取るのを避けることができる。移動ワイヤレスデバイス１０２は、バッテリ電力を節約するために、第２のページ指標ＰＩ２またはＰＣＨ／Ｆ−ＣＣＣＨ８０２チャネルを監視することなく、スリープ状態に復帰してもよい。次いで、移動ワイヤレスデバイス１０２は、次のスロットサイクルの適切なタイムスロットの中で再覚醒して、ＱＰＣＨ８０６チャネル上で次に受信した一組のページング指標ビットＰＩ１  ８１０およびＰＩ２  ８１２を読み取ってもよい。第１のページ指標ＰＩ１  ８１０が「オン」値（例えばビット値＝１）に等しい場合、移動ワイヤレスデバイス１０２は、第１のページ指標ＰＩ１  ８１０に加えて第２のページ指標ＰＩ２  ８１２も読み取って、その後の動作を判定してもよい。第１のページ指標ＰＩ１  ８１０が「オン」値に等しくて第２のページ指標ＰＩ２  ８１２が「オフ」値を示す場合、移動ワイヤレスデバイス１０２は、ＰＣＨ／Ｆ−ＣＣＣＨ８０２チャネル上にメッセージが存在しないと結論付けて、次のスロットサイクルまでスリープしてもよい。従って、第１のページ指標ＰＩ１  ８１０と第２のページ指標ＰＩ２  ８１２とのうちのいずれかの中で明確な「オフ」値を受信した場合、移動ワイヤレスデバイス１０２は、バッテリ電力を節約するためにスリープに戻り、関連のＰＣＨ／Ｆ−ＣＣＣＨチャネル８０２を読み取らなくてもよい。第１のページ指標ＰＩ１  ８１０および第２のページ指標ＰＩ２  ８１２の両方が復号されて「オン」値になった場合、移動ワイヤレスデバイス１０２は、ＰＣＨ／Ｆ−ＣＣＣＨチャネル８０２の対応するＰＣＨ／Ｆ−ＣＣＣＨタイムスロット８０４上でシグナリングメッセージ（例えばページングメッセージ）を受信して復号してもよい。移動ワイヤレスデバイス１０２は、両方のページ指標ビットが「オン」である場合にページ指標ＰＩ１／ＰＩ２  ８１０／８１２を読み取るために用いたのと同じ最初のアンテナを用いてＰＣＨ／Ｆ−Ｃ��ＣＨチャネル８０２を読み取ってもよい。ページ指標ビットのうち少なくとも１つが、あいまいな「消去(ERASURE)」値である場合、移動ワイヤレスデバイス１０２は、不確実性を解決するためにいくつかの異なる動作のうちの１つを行ってもよい。
【００５５】
ＤＰＤＴスイッチ５１２を持つ移動ワイヤレスデバイス１０２の場合は、第１のページ指標ビットＰＩ１  ８１０は、最初のアンテナを用いて復号されてもよい。ＤＰＤＴスイッチ５１２の最初の構成に依存して、最初のアンテナは、第１のアンテナ５０８であってもよいし第２のアンテナ５１０であってもよい。代表的な実施形態では、ＤＰＤＴスイッチ５１２のデフォルト構成は、「直線状」構成１１００であってもよく、第１のアンテナ５０８は、信号がそれを介して通常受信される一次アンテナと考えられてもよく、他方、第２のアンテナ５１０は、信号強度／品質の測定値によって保証されるか、および／または、ページ指標ビット復号値に基づいてそれを介して信号が受信される二次アンテナと考えられてもよい。図１２のテーブル１２００に示すように、最初のアンテナを介して受信した第１のページ指標ＰＩ１  ８１０および第２のページ指標ＰＩ２  ８１２の両方について「オン」ビット値を復号した後、移動ワイヤレスデバイス１０２は、並行するその後の付随するＰＣＨ／Ｆ−ＣＣＣＨ８０２チャネルを最初のアンテナをまた用いて復号してもよい。同様に、第１のページ指標ＰＩ１  ８１０が復号されて「オン」ビットになり、第２のページ指標ＰＩ２  ８１２が復号されて「消去」値になった場合、ＰＣＨ／Ｆ−ＣＣＣＨ８０２チャネル上にメッセージが存在しないという強い指標がない（すなわち「オフ」が受信されていない）ため、移動ワイヤレスデバイス１０２は、最初のアンテナを使用し続けて、ＰＣＨ／Ｆ−ＣＣＣＨ８０２チャネルを受信して復号してもよい。
【００５６】
第１のページ指標ビット８１０が復号されて「消去」値になった（すなわち、明確に「オン」または「オフ」値のいずれでもない）場合、移動ワイヤレスデバイスは、第２のページ指標ビットＰＩ２  ８１２および後続のＰＣＨ／Ｆ−ＣＣＣＨ８０２チャネルを復号する場合、ＤＰＤＴスイッチ５１２を用いて、第１および第２のアンテナ５０８／５１０から選択的に信号を受信してもよい。特に、最初のアンテナを介して受信した第１のページ指標ビットＰＩ１  ８１０が、復号されて「消去」値になった場合、移動ワイヤレスデバイス１０２は、ＤＰＤＴスイッチ５１２をトグルして、代替アンテナを介して第２のページ指標ビットＰＩ２  ８１２を読み取ってもよい。例えば、最初のアンテナは、「直線状」構成１１００においてＤＰＤＴスイッチを使って第１の送受信機５０４に接続された第１のアンテナ５０８であってもよく、第１のページ指標ビットＰＩ１  ８１０を「消去」として復号することは、第１のアンテナ５０８を介して受信した信号品質が悪いことを表す可能性がある。移動ワイヤレスデバイス１０２は、ＤＰＤＴスイッチ５１２の構成を「交差」構成１１１０に変更し、それによって、第２のアンテナ５１０を第１の送受信機５０４に接続してもよい。第２のアンテナ５１０を介して受信した信号は、第１のアンテナ５０８を介して受信した信号より高品質である可能性がある。移動ワイヤレスデバイス１０２は、次いで、代替アンテナとして第２のアンテナ５１０に接続された第１の送受信機５０４を用いて、第２のページ指標ビットＰＩ２  ８１２を復号してもよい。
【００５７】
移動ワイヤレスデバイス１０２が、第２のページ指標ビットＰＩ２  ８１２を次のシグナリングメッセージがないことを示す「オフ」値として復号する場合、移動ワイヤレスデバイス１０２は、後続のＰＣＨ／Ｆ−ＣＣＣＨ８０２チャネルの復号を行わなくてもよい。移動ワイヤレスデバイス１０２が第１のページ指標ビットＰＩ１  ８１０を「消去」値として、第２のページ指標ビットＰＩ２  ８１２を「オン」値として復号する場合、移動ワイヤレスデバイス１０２は、ＰＣＨ／Ｆ−ＣＣＣＨ８０２チャネルを代替アンテナを用いて、すなわち、第１のページ指標ビットＰＩ１  ８１０を復号するのに用いた最初のアンテナを介してではなく第２のページ指標ビットＰＩ２  ８１２を復号するのに用いたのと同じアンテナを用いて、復号してもよい。代替アンテナを介して受信した明確な「オン」値は、最初のアンテナを介して受信したあいまいな「消去」値よりも良好な信号を示す可能性がある。移動ワイヤレスデバイス１０２が、最初のアンテナを介して第１のページ指標ビットＰＩ１  ８１０を「消去」として復号し、かつ、代替アンテナを介して第２のページ指標ビットＰＩ２  ８１２も「消去」として復号する場合、移動ワイヤレスデバイス１０２は、ＤＰＤＴスイッチ５１２をトグルして最初のアンテナに戻し、その後、最初のアンテナを介して受信した信号を用いてＰＣＨ／Ｆ−ＣＣＣＨ８０２チャネルを復号してもよい。ページ指標ビットＰＩ１  ８１０およびＰＩ２  ８１２についての「消去」値のペアは、ＰＣＨ／Ｆ−ＣＣＣＨ８０２チャネル上のシグナリングメッセージの存在または欠如の明確な指標を提供しないことがありうる。ＰＣＨ／Ｆ−ＣＣＣＨ８０２チャネル上に存在しうるシグナリングメッセージを見逃さないようにするため、移動ワイヤレスデバイス１０２は、最初のアンテナを介してＰＣＨ／Ｆ−ＣＣＣＨ８０２チャネルの復号を試行してもよい（どちらのアンテナも、受信したページ指標ビットＰＩ１／ＰＩ２  ８１０／８１２に基づく明確な測定可能なアドバンテージを提供しない）。
【００５８】
図１３Ａは、クイックページングチャネルページ指標ビット８１０／８１２についての測定値とＰＣＨメッセージ１００６のレイヤ２ＣＲＣセグメント１０１２についての復号結果とに基づいて、不連続受信（ＤＲＸ）スロットサイクルの間に移動ワイヤレスデバイス１０２の中で受信ダイバーシチを有効化する方法１３００の代表的な実施形態を示す図である。（同じ方法が、レイヤ２ＣＲＣセグメント１０３２を持つＦ−ＣＣＣＨメッセージ１０２６の不連続受信にも適用されうる。）ステップ１３０２において、移動ワイヤレスデバイス１０２は、覚醒して、最初のアンテナを用いてワイヤレスネットワーク１００を再捕捉してもよい。代表的な一実施形態では、最初のアンテナは、一次「好適」アンテナであり、別の代表的な実施形態では、最初のアンテナは、直近に用いられたアンテナであってもよい。ステップ１３０４で、移動ワイヤレスデバイスは、ダウンリンク信号品質を所定の閾値と比較してもよい。代表的な一実施形態では、ダウンリンク信号品質は、例えば受信信号強度指標（ＲＳＳＩ）または受信信号コード電力（ＲＳＣＰ）のような、受信ダウンリンク信号強度を用いて、あるいは、例えば信号（コード電力）対雑音／干渉比（ＥｃＩｏ）または信号対雑音比（ＳＮＲ）の測定値のような、受信ダウンリンク信号品質を用いて測定されてもよい。ダウンリンク信号品質測定には、短い時間帯の間に生じることがある測定値の瞬間的な変動を円滑化するために測定値をフィルタ処理することが含まれてもよい。従って、ダウンリンク信号品質は、「フィルタ処理された」測定されたダウンリンク信号品質である可能性がある。ダウンリンク信号品質が、所定の閾値を超えた場合、移動ワイヤレスデバイス１０２は、その後、ステップ１３０６で、クイックページングチャネル８０６上で受信したページ指標８１０／８１２を復号してもよい。ダウンリンク信号品質が所定の閾値を超えなかった場合、移動ワイヤレスデバイス１０２は、ページ指標は（受信したダウンリンク信号品質が悪いため）信頼性に欠ける可能性があると結論付け、その代わりに、ページ指標が何を示しうるかにかかわらず、ステップ１３１２で最初のアンテナを用いてページングチャネルを直接復号してもよい。
【００５９】
ステップ１３０６におけるクイックページングチャネル８０６ページ指標８１０／８１２の復号に続いて、移動ワイヤレスデバイス１０２は、ステップ１３０８で、第１のページ指標８１０と第２のページ指標８１２とのいずれかが復号されて「オフ」値になるかどうかを判定してもよい。第１のページ指標８１０または第２のページ指標８１２が復号されて「オフ」値であるとステップ１３０８で判定された場合、移動ワイヤレスデバイス１０２は、ステップ１３２２でスリープに復帰してもよい。第１のページ指標８１０も第２のページ指標８１２もどちらも復号されて「オフ」値にはならなかった場合、移動ワイヤレスデバイスは、その後、第１のページ指標８１０に関して復号された値に基づいて、どのアンテナを使ってページングチャネル８０２を復号するかを判定してもよい。第１のページ指標８１０が復号されて「消去」値にならなかった場合、移動ワイヤレスデバイス１０２は、ステップ１３１４で最初のアンテナを用いてページング（ＰＣＨ／Ｆ−ＣＣＣＨ）チャネル８０２を復号してもよい。第１のページ指標８１０が復号されて「消去」値となった場合には、移動ワイヤレスデバイス１０２は、ステップ１３１２で代替アンテナを用いてページングチャネル８０２を復号してもよい。
【００６０】
ステップ１３１６で、移動ワイヤレスデバイス１０２は、ページングチャネル８０２上で受信したシグナリング（ページング）メッセージ１００６のＣＲＣセグメント１０１２は、正確に「合格」として復号されたかどうかを判定してもよい。シグナリングメッセージ１００６のＣＲＣセグメント１０１２が復号されて「合格」となった場合、移動ワイヤレスデバイス１０２は、ステップ１３１８で、同じ覚醒サイクルの間にページングチャネル８０２上で受信した、以前に復号されたシグナリングメッセージ１００６の少なくとも１つのＣＲＣセグメント１０１２が復号されてＣＲＣ「失敗」となったかどうかを判定してもよい。移動ワイヤレスデバイス１０２は、少なくとも１つのＣＲＣ「失敗」が現行の覚醒サイクルの中で復号され、かつ、現行の覚醒サイクルの中で１つのＣＲＣ「合格」も復号されたと判定した場合、移動ワイヤレスデバイス１０２は、ステップ１３２０でフル受信ダイバーシチを可能にしてもよい。復号されたＣＲＣ「失敗」は、複数のアンテナを介した受信ダイバーシチを用いることによって信号受信を改善するに値する悪い受信信号品質条件を示しうる。フル受信ダイバーシチには、移動ワイヤレスデバイス１０２において複数のアンテナ５０８／５１０を複数の送受信機５０４／５０６に接続して、次の覚醒サイクルの間に２つ以上のアンテナ５０８／５０６を介して受信した信号の復号を可能にすることが含まれてもよい。また、ステップ１３２０で、次の覚醒サイクルの間は、移動ワイヤレスデバイス１０２は、クイックページングチャネル８０６（ＱＰＣＨ）を無視してもよく、ページングチャネル８０２上でページ指標ビット８１０／８１２を復号せずにフルダイバーシチを用いてページングチャネル８０２を直接復号してもよい。移動ワイヤレスデバイス１０２が、ステップ１３１６でＣＲＣ「合格」を復号し、かつ、ステップ１３１８で現行の覚醒サイクルの中でＣＲＣ「失敗」を復号しない場合、移動ワイヤレスデバイス１０２は、受信ダイバーシチを可能にせずに、ステップ１３２２でスリープ状態に復帰してもよい。移動ワイヤレスデバイス１０２は、次いで、後続のＤＲＸサイクルの覚醒部分において方法をステップ１３０２から繰り返してもよい。
【００６１】
移動ワイヤレスデバイス１０２は、ステップ１３１２および１３１４でページングチャネルＰＣＨ／Ｆ−ＣＣＣＨ８０２を復号し、また、続けて、「合格」ＣＲＣと共に復号される受信シグナリングメッセージを探してもよい。移動ワイヤレスデバイス１０２がＣＲＣ「合格」を復号しなかった場合、ステップ１３２４で、移動ワイヤレスデバイス１０２は、持続的ＣＲＣ「失敗」条件(persistent CRC “Fail” condition)が存在しているのか、あるいはＣＲＣを検出できなかったのか（ＣＲＣ「欠如(“Absence”)」）を判定してもよい。代表的な一実施形態では、ページングチャネル８０２上でメッセージを復号し、その結果として所定の時間帯について連続的にＣＲＣ復号失敗が生じる場合、または、連続的なＣＲＣ復号失敗が所定回数生じる場合、持続的ＣＲＣ「失敗」が判定されることがある。ＣＲＣ「欠如」は、所定の時間帯について移動ワイヤレスデバイス１０２がページングチャネル８０２上でＣＲＣを検出できなかった場合に発生することがある。移動ワイヤレスデバイス１０２がステップ１３２４で持続的ＣＲＣ失敗もしくはＣＲＣ欠如を検出した場合、移動ワイヤレスデバイス１０２は、ステップ１３２６で、フル受信ダイバーシチを可能にし、「ＦＤ」と名付けたサークルを通して接続することによって、図１３Ｂに示す現行の覚醒サイクルの間、ページングチャネル８０２の復号を続けてもよい。図１３Ａのステップ１３１２および１３１４におけるページングチャネル８０２の復号は、最初に単一アンテナ（例えば５０８または５１０）を使用してもよいが、図１３Ｂのステップ１３２６におけるページングチャネル８０２の復号は、受信信号条件が悪い可能性がある場合に信号の検出を改善するために、複数のアンテナ（例えば５０８と５１０）を同時に使用してもよい。移動ワイヤレスデバイス１０２がステップ１３１６においてＣＲＣ「合格」を復号せず、その後、ステップ１３２４において持続的ＣＲＣ失敗または欠如を検出しない場合、移動ワイヤレスデバイス１０２は、単一のアンテナ（最初のアンテナと、ステップ１３１６に入る場合に選択される代替アンテナとのいずれか一方）を用いてページングチャネル８０２の復号を続けてもよく、ＣＲＣ「合格」復号の成功についてステップ１３１６で戻って検査してもよい。
【００６２】
図１３Ｂでは、移動ワイヤレスデバイス１０２は、複数のアンテナ（例えば５０８と５１０）を同時に用いて現行の覚醒サイクルの間にステップ１３２６でページングチャネルの復号を続けてもよい。この複数のアンテナを使う復号は、フルアンテナダイバーシチと呼ばれてもよい。フルアンテナダイバーシチを用いると、受信信号品質が向上し、従って、ページングチャネルメッセージの、誤りのない復号の確率が高まる可能性がある。ＣＲＣが復号される場合、移動ワイヤレスデバイスは、ステップ１３３０で、ＣＲＣ「合格」が、現行の覚醒サイクルの間に復号され、かつ、その前の複数の連続する覚醒サイクルについて復号されたかどうかを判定してもよい。複数の連続する覚醒サイクルが、正確なＣＲＣ「合格」と共に復号を行った場合、移動ワイヤレスデバイスは、ステップ１３３２に示すように次の覚醒サイクルの間は単一アンテナの使用に復帰し、その後、ステップ１３３６でスリープしてもよい。現行の覚醒サイクルの中で不正確なＣＲＣ「失敗」が復号された場合、あるいは、所定回数の連続する覚醒サイクルで、正確なＣＲＣ「合格」が復号されていない場合には、移動ワイヤレスデバイス１０２は、ステップ１３３４に示すように次の覚醒サイクルの中で複数のアンテナの使用（すなわち、フルアンテナダイバーシチ）を続け、ステップ１３３６でスリープに復帰してもよい。図１３Ａに示すように、フルアンテナダイバーシチが、覚醒サイクルの間の少なくとも１つのＣＲＣ失敗に続いて（少なくとも１つのＣＲＣ合格が同じ覚醒サイクルの間に生じうる場合であっても）使用可能にされてもよい。また、フルアンテナダイバーシチは、持続的ＣＲＣ失敗もしくはＣＲＣ欠如が生じる場合に使用可能にされてもよい。移動ワイヤレスデバイス１０２は、所定回数の連続する覚醒サイクルについてＣＲＣ合格が繰り返し生じた後に、単一アンテナを用いる復号に復帰してもよい。
【００６３】
図１３Ａおよび１３Ｂに概説した方法１３００は、選択的に可能にする受信ダイバーシチにおいて性能を電力消費とバランスさせる、いくつかの明確な結果を提供する。受信ダウンリンク信号品質が良好である場合、シングルビットのページ指標ＰＩ１／ＰＩ２  ８１０／８１２が読み取られ、受信ダウンリンク信号品質が悪い場合、無視されてもよい。従って、信頼性がなく品質の悪いページ指標を読み取るために電力が浪費される可能性がない。第１のページ指標ＰＩ１  ８１０上または第２のページ指標ＰＩ２  ８１２上で「オフ」が検出された場合、電力を節約するために移動ワイヤレスデバイス１０２をスリープ状態に復帰させ、ＤＲＸサイクルの間は付随するページングチャネル８０２を読み取らなくてもよい。第１のページ指標ＰＩ１  ８１０上で「消去」が検出された場合、結果として、最初のアンテナと代替アンテナとの間の切換えが行われ、それによって、依然として１つのアンテナと１つの送受信機だけを用いながら、より良い信号品質が得られる代替経路を介して復号されてもよい（それは、複数のアンテナおよび複数の受信器よりも電力消費が少なくなる可能性がある）。ページングチャネル８０２は、単一アンテナを介して受信した信号を用いて復号されてもよく、ページ指標８１０／８１２の復号は、単一アンテナを介して受信した信号の品質の指標を与えてもよく、従って、ページングチャネル８０２を復号する際にどの単一アンテナを用いるかが判定できてもよい。単一アンテナを介してページングチャネル８０２上で「合格」ＣＲＣを持続的に検出できない場合、移動ワイヤレスデバイス１０２は、複数のアンテナを介して信号を受信するための受信ダイバーシチを使用可能にして、ＤＲＸサイクルの現行の覚醒部分の間はページングチャネル８０２の復号を続けてもよい。追加の電力を消費することになる一方で、複数のアンテナを使うと、信号条件が悪い間はページングチャネル８０２のより信頼性の高い受信が可能になりうる。ＤＲＸサイクルの覚醒部分で単一アンテナを用いて少なくとも１つの「失敗」ＣＲＣと１つの「合格」ＣＲＣとが復号された場合、移動ワイヤレスデバイス１０２は、後続のＤＲＸサイクルの次の覚醒部分の間、ページングチャネル８０２の検出と復号とを改善するため、受信ダイバーシチを使用可能にしてもよい。受信ダイバーシチを用いる場合、クイックページングチャネル８０６は無視されてもよく、受信ダイバーシチは、単一のビットページ指標８１０／８１２の信頼性が低いと考えられる条件である悪い受信信号品質が存在しうる時に特に使用可能にされうるのだから、ページングチャネル８０２は直接読み取られてもよい。
【００６４】
図１４乃至図１９は、不連続受信の間に移動ワイヤレスデバイス１０２に受信ダイバーシチを適用するための第２の詳細な方法１４００乃至１９００を概説する図である。図１４乃至図１９に示す各ステップは、文字Ａ乃至Ｈと表示される円形の入力ポイントおよび出力ポイントを介して、相互接続される。移動ワイヤレスデバイス１０２は、不連続受信動作モードでは、スリープ状態と覚醒状態とを繰り返してもよい。覚醒部分には、ページングメッセージ１００６を含みうるページングチャネル８０２と、ページ指標８１０／８１２を提供しうるクイックページングチャネル８０６とを監視することが含まれうる。移動ワイヤレスデバイス１０２は、ＤＲＸサイクルのスリープ部分の間、５つの異なる状態Ｓ１乃至Ｓ５のうちの１つの状態でありうる。移動ワイヤレスデバイス１０２がスリープから覚醒した時、移動ワイヤレスデバイスは、５つの異なる状態Ｓ１乃至Ｓ５のうちの１つの状態である可能性があり、個々の状態で覚醒した結果として、状態Ｓ１乃至Ｓ５についてそれぞれ図１４乃至図１８に概説したさまざまなステップを行う可能性がある。
【００６５】
図１４の状態Ｓ１から、移動ワイヤレスデバイス１０２は、クイックページングチャネル８０６上でページ指標ビット８１０／８１２を読み取ることなく、一次アンテナを用いて直接ページングチャネル８０２を復号してもよい。図１５の状態Ｓ２から、移動ワイヤレスデバイス１０２は、一次アンテナを用いてページングチャネル８０２を復号するかどうかを判定するために（およびどのアンテナを用いてその後のページングチャネル８０２の復号を行うかを判定するために）、クイックページングチャネル８０６上でページ指標ビット８１０／８１２を復号してもよい。図１６の状態Ｓ３は、移動ワイヤレスデバイス１０２が最初に一次アンテナの代わりに二次アンテナを用いてもよいことを除いて、図１５の状態Ｓ２と同様に考えられてもよい。特に、図１６の状態Ｓ３から、移動ワイヤレスデバイス１０２は、ページングチャネル８０２を復号するかどうか判定するために（かつ、どのアンテナを用いてその後のページングチャネル８０２の復号を行うかを判定するために）二次アンテナを用いてクイックページングチャネル８０６上でページ指標ビット８１０／８１２を復号してもよい。図１７の状態Ｓ４は、移動ワイヤレスデバイス１０２が最初に一次アンテナの代わりに二次アンテナを用いてもよいことを除いて、図１４の状態ＳＩと同様に考えられてもよい。図１７の状態Ｓ４から、移動ワイヤレスデバイス１０２は、クイックページングチャネル８０６上でページ指標ビット８１０／８１２を読み取ることなく、二次アンテナを用いてページングチャネル８０２を直接復号してもよい。図１８の状態Ｓ５から、移動ワイヤレスデバイスは、一次アンテナと二次アンテナとをいずれも介してフル受信ダイバーシチを用いてページングチャネル８０２を直接復号してもよい。
【００６６】
図１４に戻ると、ステップ１４０２で移動ワイヤレスデバイス１０２が状態Ｓ１で覚醒し、ステップ１４０４で移動ワイヤレスデバイス１０２は、一次アンテナを用いてワイヤレスネットワーク１００を再捕捉してもよい。一次アンテナは、移動ワイヤレスデバイス１０２内のデフォルト受信器に接続されたデフォルトアンテナであってもよい。再捕捉には、信号を検出して、同期タイミングをワイヤレスネットワーク１００内の以前に検出されたセルと整合させることが含まれてもよい。ステップ１４０６では、移動ワイヤレスデバイス１０２は、一次アンテナを介して受信した信号を用いてページングチャネル８０２を直接復号してもよい。ステップ１４０８では、移動ワイヤレスデバイス１０２は、ページングチャネルメッセージがページングチャネル８０２上で受信されたかどうか、そして、正確な「合格」ＣＲＣと共に復号されたかどうかを判定してもよい。正確な「合格」ＣＲＣを持つページングチャネルメッセージが受信されなかった場合、移動ワイヤレスデバイスは、ステップ１４２４で、ページングチャネルメッセージが受信されて、不正確な「失敗」ＣＲＣと共に復号されたかどうかを判定してもよい。ページングチャネルメッセージが、正確な「合格」ＣＲＣかまたは不正確な「失敗」ＣＲＣと共に受信されなかった場合、移動ワイヤレスデバイスはステップ１４２２で、Ｔ１秒という所定の時間帯について、正確な「合格」ＣＲＣと共に受信されたページングチャネルメッセージは全くなかったのかどうかを判定してもよい。ステップ１４２２における「合格」ＣＲＣを持たないＴ１秒という連続した時間帯の判定は、カウントダウンタイマによって実施されてもよい。カウントダウンタイマは、ステップ１４０６においてページングチャネル８０２の復号が始まった時に、Ｔ１秒に初期化されてもよく、また、カウントダウンタイマは、正確な「合格」ＣＲＣがステップ１４０８で受信されたと判定された場合、Ｔ１秒にリセットされてもよい。ページングチャネル８０２を復号するＴ１秒によって、結果として、ＣＲＣ「合格」（およびＣＲＣ失敗）がもたらされなかった場合、移動ワイヤレスデバイス１０２は、ステップ１４２８へ移行して、フル受信器ダイバーシチを可能にしてもよい。フル受信ダイバーシチが可能にされた場合、移動ワイヤレスデバイス１０２は、一次アンテナと二次アンテナとの両方を介して信号を受信してもよい。代表的な実施形態では、移動ワイヤレスデバイス１０２の中のデュアルポールデュアルスロースイッチ５１２を介して、一次アンテナが１つの送受信機に接続され、二次アンテナが第２の送受信機に接続されてもよい。フル受信ダイバーシチが可能にされた場合、移動ワイヤレスデバイス１０２は、図１４に示すように円「Ｃ」を介して、図１８に示すステップ１８０６へと移行することによって、ページングチャネル８０２の復号を続けてもよい。
【００６７】
図１４のステップ１４０６乃至１４０８から１４２４乃至１４２２へ、そしてまた１４０６へ戻るサイクルは、一次アンテナを用いて「合格」ＣＲＣを持つページングチャネルメッセージ１００６を探すための、移動ワイヤレスデバイス１０２によるページングチャネル８０２の連続的な復号を提供しうる。ステップ１４２４で判定されるようにＣＲＣ失敗と共にページングチャネルメッセージ１００６を受信した後、移動ワイヤレスデバイス１０２は、ＣＲＣ失敗と共にいくつか（Ｘ１）の連続するページングメッセージ１００６が受信されたかどうか判定してもよい。Ｘ１の連続するＣＲＣ失敗が生じた場合、移動ワイヤレスデバイス１０２は、ステップ１４２８でフル受信ダイバーシチへと移行し、複数のアンテナから受信した信号を用いてページングチャネル８０２の復号を続けてもよい。Ｘ１の連続するＣＲＣ失敗がまだ生じていないとステップ１４２６で判定された場合、移動ワイヤレスデバイス１０２は、ステップ１４２２へ移行して、ページングチャネル８０２を復号する所定のＴ１秒の範囲内にページングチャネル１００６が受信されたかどうか判定してもよい。ステップ１４２６および１４２８は、複数の連続する「不正確な」ＣＲＣが受信された場合かまたは所定の時間帯の範囲内に「正確な」ＣＲＣが受信されない場合、品質の悪い信号受信という判定を提供しうる。複数のアンテナを使って、すなわちフル受信ダイバーシチを使って、復号すると、信号の受信が改善され、従って、ページングチャネル８０２の復号が改善されることがある。
【００６８】
移動ワイヤレスデバイス１０２がページングチャネルメッセージ１００６を「正確な」ＣＲＣ合格と共に受信し、かつ、追加のページングチャネルメッセージ１００６が現行の覚醒サイクルでは予期されていない（すなわち、移動ワイヤレスデバイス１０２は、次の覚醒サイクルまで受信の必要がない）場合、移動ワイヤレスデバイス１０２は、ＤＲＸサイクルの現行の覚醒部分の間に１つ以上の前のチャネルメッセージ１００６が「不正確な」ＣＲＣ失敗と共に復号されたかどうかをステップ１４１０で判定してもよい。現行の覚醒サイクルの単一の覚醒部分においてページングチャネル８０２を復号する間に、ステップ１４１０で判定されるような少なくとも１つの「不正確な」ＣＲＣ失敗と、ステップ１４０８で判定されるような「正確な」ＣＲＣ合格とを受信した場合、移動ワイヤレスデバイス１０２は、ステップ１４１８へ移行して、不連続受信（ＤＲＸ）カウンタを再初期化し、その後、ステップ１４２０において状態Ｓ５でまたスリープしてもよい。移動ワイヤレスデバイス１０２がＤＲＸサイクルの次の覚醒部分について状態Ｓ５から覚醒してページングチャネルを復号する場合、移動ワイヤレスデバイスは、図１８に示すステップ１８０２を実行するであろう。不正確なＣＲＣ失敗を持つページングチャネルメッセージ１００６を受信すると、低レベルの信号品質だと表示されることがある。従って、移動ワイヤレスデバイス１０２は、信号受信を改善するために、次のＤＲＸサイクルでは受信ダイバーシチを用いて覚醒してもよい。
【００６９】
ステップ１４０８において正確なＣＲＣ合格を持つページングチャネルメッセージ１００６を受信した後、かつ、（ステップ１４２４または１４２０において）不正確なＣＲＣ失敗を持つページングチャネルメッセージ１００６を受信していない場合、移動ワイヤレスデバイス１０２は、ステップ１４１２で受信信号品質を所定の第１の閾値と比較してもよい。受信信号品質は、受信信号コード電力対雑音／干渉比（ＥｃＩｏ）のような信号品質の測度であってもよいし、一定期間にわたる受信信号品質の測定値を平均した、フィルタ処理した測度であってもよい。ステップ１４１２で受信信号品質が所定の第１の閾値を超えない場合、移動ワイヤレスデバイス１０２は、ステップ１４１４において状態Ｓ１でまたスリープしてもよい。移動ワイヤレスデバイス１０２が、次のＤＲＸサイクルの間に状態Ｓ１で再覚醒した場合、移動ワイヤレスデバイス１０２は、図１４に概説した方法のステップを最初のステップ１４０２から繰り返してもよい。低レベルの受信信号品質の場合、クイックページングチャネル指標ビット８１０／８１２を復号することなくページングチャネル８０２を直接復号する方が好適でありうることを示すことがある。ステップ１４１２で受信信号品質が所定の第１の閾値を超えた場合、移動ワイヤレスデバイス１０２は、ステップ１４１６において状態Ｓ２でスリープしてもよい。後続のＤＲＸサイクルの覚醒部分でスリープから覚醒した場合、移動ワイヤレスデバイス１０２は、次の図１５に示すように続けてもよい。
【００７０】
図１５は、移動ワイヤレスデバイス１０２がステップ１５０２において状態Ｓ２におけるスリープから覚醒する場合にとり得る一連のステップ１５００を示す図である。移動ワイヤレスデバイス１０２は、ステップ１５０４で一次アンテナを介して受信した信号を用いてワイヤレスネットワーク１００を再捕捉してもよい。次いで移動ワイヤレスデバイス１０２は、クイックページングチャネル８０６上で信号を受信してもよく、特に、ステップ１５０６で一次アンテナを介して受信した信号を用いて第１のページ指標８１０を復号してもよい。受信した第１のページ指標８１０は、「ゼロ」値、「１」値、および「消去」値という３つの可能な値のうちの１つとして解釈されうるシングルビットであってもよい。（ページングメッセージ１００６がないという「オフ」指標についての「ゼロ」値と、ページングメッセージ１００６の「オン」指標についての「１」値とは任意であって、代案として取り換えられる可能性があり、すなわち、「オフ」は「１」値であり、「オン」は「ゼロ」値でありうることに留意されたい。）移動ワイヤレスデバイス１０２は、ステップ１５０８、１５１０、１５２０において、受信した第１のページ指標８１０の値を判定してもよい。第１のページ指標ビット８１０が、ステップ１５０８で復号してゼロ値になる場合、このことは、並行するページングチャネル８０２上に移動ワイヤレスデバイス１０２についてのページングメッセージ１００６が存在しないことを示す可能性があるため、移動ワイヤレスデバイス１０２は、クイックページングチャネル８０６の復号を終了してもよく、そして、図１２の円「Ｂ」で示すようにステップ１４１２に再度入ることによって、受信信号品質に基づいて次のスリープ状態を直接判定してもよい。第１のページ指標８１０がステップ１５２０で復号されて「消去」になる場合、移動ワイヤレスデバイス１０２は、現行の使用中のアンテナ（一次アンテナ）は、信頼性がない可能性があると判定し、ステップ１５２２でＤＰＤＴスイッチをトグルして、信号を第２のアンテナから受信器へルーティングさせてもよい。移動ワイヤレスデバイス１０２は、次いで、図１６の円「Ｅ」で示すようにステップ１６１２に入ることによって、二次アンテナを用いてクイックページングチャネル８０６の復号を続けてもよい。
【００７１】
第１のページ指標８１０がステップ１５１０で復号されて「１」値となった場合、移動ワイヤレスデバイス１０２は、任意でスリープし、その後、ステップ１５１２でワイヤレスネットワーク１００を一次アンテナ上で再捕捉し、受信した第２のページ指標８１２をステップ１５１４で一次アンテナを介して復号してもよい。第１のページ指標ビット８１０の場合と同じく、受信した第２のページ指標８１２は、「ゼロ」、「１」または「消去」と解釈されうるシングルビットでありうる。第２のページ指標８１２が、ステップ１５１６で復号されて「ゼロ」になった場合、移動ワイヤレスデバイス１０２は、クイックページングチャネル８０６の復号を終了し、円「Ｂ」で示すように、図１４のステップ１４１２に再度入ることによって、次のスリープ状態を受信信号品質に基づいて直接判定してもよい。従って、単一のページ指標ビット８１０が、ページングチャネル８０６上に移動ワイヤレスデバイス１０２宛てのページングメッセージ１００６が存在しないことを示す「ゼロ」値として明確に受信される場合、移動ワイヤレスデバイス１０２は、またスリープ状態に復帰してもよい。受信信号品質の品質を用いて、どの状態でスリープし、その後再覚醒するかが判定されてもよい。クイックページングチャネル８０６上のページ指標８０１／８１２は、信号品質が高ければより信頼性が高く、従って、復号に値するとみなされてもよく、信号品質が低ければより信頼性が低く、従って復号に値しないとみなされてもよい。
【００７２】
第２のページ指標８１２がステップ１５１８で復号されて「１」値になった場合、移動ワイヤレスデバイス１０２は、上述したように一次アンテナを用いてページングチャネル８０２を復号するために、円「Ａ」で示すように図１４のステップ１４０４へ移行してもよい。第２のページ指標８１２がステップ１５２４で復号されて「消去」値となる場合、そして、第１のページ指標８１０がステップ１５２６で復号されて「消去」値となる場合、移動ワイヤレスデバイス１０２は、ステップ１５２８でＤＰＤＴスイッチをトグルしてもよく、円「Ｆ」を介して図１７のステップ１７０４へ移行し、二次アンテナを用いてページングチャネル８０２を復号してもよい。第１のページ指標８１０がステップ１５２６で復号されて「消去」とならない場合、移動ワイヤレスデバイス１０２は、図１４の円「Ａ」を介してステップ１４０４へと移行し、一次アンテナを用いてページングチャネル８０２を復号してもよい。図１５は、ページングチャネル８０２を復号するかどうか、および、どのアンテナを用いてページングチャネル８０２を復号するかを判定するために、移動ワイヤレスデバイス１０２がページ指標ビット８１０／８１２の復号された値を用いることを示している。図１５では、移動ワイヤレスデバイス１０２は、一次アンテナを用いてページ指標８１０／８１２の復号を開始するが、他方、図１６では、移動ワイヤレスデバイス１０２は、二次アンテナを用いてページ指標８１０／８１２の復号を開始する。
【００７３】
図１６は、移動ワイヤレスデバイス１０２がステップ１６０２において状態Ｓ３でスリープから覚醒する場合に取りうる一連のステップを示す図である。移動ワイヤレスデバイス１０２は、ステップ１６０４で二次アンテナを介して受信した信号を用いてワイヤレスネットワーク１００を再捕捉してもよい。次いで移動ワイヤレスデバイス１０２は、ステップ１６０８で二次アンテナを介して受信した第１のページ指標８１０を復号し、その後、その値を判定してもよい。ステップ１６０８で第１のページ指標８１０が復号されて「ゼロ」値になった場合、移動ワイヤレスデバイス１０２は、ページングチャネル８０２上にシグナリング（ページング）メッセージ１００６が存在しないと結論付けてもよく、円「Ｇ」を介して移行して、図１７のステップ１７１２から始めて、受信信号品質に基づいてまたスリープ状態になってもよい。受信信号品質は、ステップ１７１２に示すように所定の第１の閾値と比較されてもよい。受信信号品質がステップ１７１２で第１の閾値を超えた場合、移動ワイヤレスデバイス１０２は、ステップ１７１６において状態Ｓ３でまたスリープしてもよい。受信信号品質がステップ１７１２で第１の閾値を超えなかった場合、移動ワイヤレスデバイス１０２は、ステップ１７１４で状態Ｓ４でスリープしてもよい。
【００７４】
図１６に戻ると、受信した第１のページ指標８１０がステップ１６１０で復号されて「１」値になった場合、移動ワイヤレスデバイス１０２は、任意で、スリープ（図示せず）してもよく、次いで、ステップ１６１２で二次アンテナを介して受信した信号を用いてワイヤレスネットワーク１００を再捕捉してもよい。移動ワイヤレスデバイス１０２は、その後、ステップ１６１４で二次アンテナを介して受信した第２のページ指標８１２を復号して、その値を判定してもよい。受信した第２のページ指標８１２がステップ１６１６で復号されて「ゼロ」値になった場合、移動ワイヤレスデバイス１０２は、次のページングチャネルメッセージ１００６は存在しないと結論付けてもよい。移動ワイヤレスデバイス１０２は、円「Ｇ」を介して移行し、図１７のステップ１７１２で判定されるように受信信号品質に基づいてまたスリープしてもよい。
【００７５】
受信した第２のページ指標８１２が、代わりに、ステップ１６１８で復号されて「１」値になった場合、移動ワイヤレスデバイス１０２は、円「Ｆ」を介して図１７のステップ１７０４へ移行することによって二次アンテナを介して受信した信号に基づいてページングチャネル８０２を復号してもよい。そうではなく、受信した第２のページ指標８１２がステップ１６２４で復号されて「消去」値となり、受信した第１のページ指標８１０もステップ１６２６で復号されて「消去」値となった場合、移動ワイヤレスデバイス１０２は、ステップ１６２８で二次アンテナから一次アンテナへとアンテナスイッチをまたトグルして、円「Ａ」を介して図１４のステップ１４０４へと移行し、一次アンテナを用いてページングチャネル８０２を復号してもよい。受信した第２のページ指標８１２がステップ１６２４で復号されて「消去」値となり、受信した第１のページ指標８１０がステップ１６２６で復号されて「消去」値とならない場合、移動ワイヤレスデバイス１０２は、円「Ｆ」を介して移行し、図１７のステップ１７０４から始めて、二次アンテナを介して受信した信号を用いてページングチャネル８０２を復号してもよい。
【００７６】
受信した第１のページ指標８１０がステップ１６０８で復号されて「ゼロ」値にならず、かつ、ステップ１６１０で復号されて「１」にならない場合、移動ワイヤレスデバイス１０２は、ステップ１６２０で第１のページ指標８１０が復号されて「消去」になると結論付けてもよい。「消去」と共に第１のページ指標８１０を受信することは、二次アンテナを介して受信した信号の品質が悪いことを示す可能性がある。それに応じて、移動ワイヤレスデバイス１０２は、ステップ１６２２でＤＰＤＴスイッチを二次アンテナから一次アンテナへトグルしてもよく、そして、円「Ｄ」を介して図１５のステップ１５１２へ移行して、一次アンテナを用いて第２のページ指標８１２を復号してもよい。第１のページ指標８１０上の「消去」は、ＤＰＤＴスイッチが、第１のページ指標８１０を復号するのに用いたアンテナとは異なるアンテナ上で第２のページ指標８１２の復号を試行するために一度トグルする原因となりうる。第２のページ指標８１０上の第２の「消去」は、ＤＰＤＴスイッチが、ページングチャネル８０２を復号するかまたはスリープに復帰する前に一次アンテナへ再びトグルする原因となりうる。第１のページ指標８１０上に「消去」がなくて第２のページ指標８１２上だけに「消去」があることは、両方のページ指標８１０／８１２と関連のページングチャネル８０２とを復号するのに同じアンテナが用いられ、ＤＰＤＴスイッチに変更がないという結果になりうる。
【００７７】
図１７は、移動ワイヤレスデバイス１０２がステップ１７０２において状態Ｓ４で覚醒して、ステップ１７０４において二次アンテナ上でワイヤレスネットワーク１００を再捕捉することを除いて、図１４に示したものと同様の一連のステップ１７００を示す図である。（図１４は、移動ワイヤレスデバイス１０２が一次アンテナを最初に用いることから始まる。）ステップ１７０６で、移動ワイヤレスデバイス１０２は、二次アンテナを介して受信した信号を用いてページングチャネル８０２を復号することから始めてもよい。移動ワイヤレスデバイス１０２は、ページングチャネルメッセージ１００６について検査し、ステップ１７０８および１７２４でＣＲＣ「合格」または「失敗」条件を判定しながら、ページングチャネル８０２の復号を続けてもよい。移動ワイヤレスデバイス１０２が、正確な「合格」ＣＲＣと共に復号されるページングチャネルメッセージ１００６を受信して、現行の覚醒サイクルの間に予期されるページングチャネルメッセージ１００６はこれ以上存在しないと確認した場合、移動ワイヤレスデバイス１０２は、ページングチャネル８０２の復号を停止して、スリープ状態に復帰してもよい。移動ワイヤレスデバイス１０２が復帰するスリープ状態は、ページングメッセージ１００６がステップ１７１０で判定されるように不正確な「失敗」ＣＲＣと共に現行の覚醒サイクルの中で受信されたかどうかに依存する。移動ワイヤレスデバイス１０２が、正確な「合格」ＣＲＣおよび少なくとも１つの不正確な「失敗」ＣＲＣを両方共、ページングチャネル８０２を復号しているＤＲＸサイクルの同じ覚醒部分の間に受信した場合、移動ワイヤレスデバイス１０２は、ステップ１７１８でＤＲＸカウンタを再初期化し、ステップ１７２０で状態Ｓ５でスリープしてもよい。状態Ｓ５から覚醒した時、移動ワイヤレスデバイス１０２は、フル受信ダイバーシチ（すなわち、複数のアンテナから受信した信号）を用いてページングチャネル８０２を復号し、信号検出および復号を向上させてもよい。移動ワイヤレスデバイス１０２がステップ１７０８で正確な「合格」ＣＲＣと共にページングチャネルメッセージ１００６を受信し、かつ、ＤＲＸサイクルの同じ覚醒部分で不正確な「失敗」ＣＲＣと共にページングチャネルメッセージ１００６を受信しなかった場合、移動ワイヤレスデバイス１０２は、ステップ１７１２で受信信号品質の判定に基づいてスリープ状態に復帰してもよい。受信信号品質がステップ１７１２で第１の所定の閾値を超えた場合、移動ワイヤレスデバイス１０２は、状態Ｓ３でスリープに復帰してもよく、そこから、移動ワイヤレスデバイス１０２は、クイックページングチャネル８０６上でページング指標８１０／８１２を復号してもよい。受信信号品質がステップ１７１２で第１の所定の閾値を超えなかった場合、移動ワイヤレスデバイス１０２は、状態Ｓ４でスリープに復帰してもよく、そこから、移動ワイヤレスデバイス１０２は、ページングチャネル８０２を直接復号してもよく、クイックページングチャネル８０６を無視してもよい。
【００７８】
移動ワイヤレスデバイス１０２は、正確な「合格」ＣＲＣと共に受信したページングチャネルメッセージ１００６を探し求めて二次アンテナ上でページングチャネル８０２を復号している時に、ステップ１７０６、１７０８、１７２４、１７２２を繰り返してもよい。ページングチャネル復号カウントダウンタイマが、ステップ１７０６で二次アンテナ上でページングチャネル８０２の復号を開始する時に、所定の値であるＴ１秒で起動されてもよい。ページングチャネル復号カウントダウンタイマは、ページングチャネルメッセージ１００６についての正確な「合格」ＣＲＣが受信された時にはいつでも、所定の値であるＴ１秒にリセットされてもよい。ページングチャネルメッセージ１００６が移動ワイヤレスデバイス１０２によってステップ１７２２で判定されるようにページングチャネル８０２を復号するＴ１秒という期間の間に「合格」ＣＲＣと共に受信された場合、移動ワイヤレスデバイス１０２は、その後、ステップ１７２８で複数のアンテナを用いるフル受信ダイバーシチを可能にしてもよい。移動ワイヤレスデバイス１０２は、その後、図１８のステップ１８０６へ円「Ｃ」を介して移行することによって、フル受信ダイバーシチを使ってページングチャネル８０２の復号を続けてもよい。また、移動ワイヤレスデバイス１０２は、不正確な「失敗」ＣＲＣと共に復号された、現行のＤＲＸサイクルの覚醒部分の間に受信したページングチャネルメッセージ１００６の数を追跡してもよい。移動ワイヤレスデバイス１０２が、ステップ１７２６で判定されるような不正確な「失敗」ＣＲＣと共に複数（Ｘ１）の連続するページングメッセージ１００６を受信した場合、移動ワイヤレスデバイス１０２は、ステップ１７２８でフルダイバーシチを使用可能にし、図１８のステップ１８０６でフルダイバーシチを使って復号を続けてもよい。ＣＲＣ「合格」を検出することも、複数の連続するＣＲＣ「失敗」を検出することもなく、連続的にページングチャネル８０２を復号した後、移動ワイヤレスデバイス１０２は、単一の二次アンテナを介して受信した信号の品質は不十分である可能性があると結論付けてもよい。ステップ１７２８で複数のアンテナを使ったフル受信ダイバーシチを可能にすることによって、移動ワイヤレスデバイス１０２は、受信信号品質を向上させ、従って、ページングチャネル８０２上で受信したページングチャネルメッセージ１００６の検出と復号とを向上させてもよい。
【００７９】
図１８は、移動ワイヤレスデバイス１０２が複数のアンテナを介したフル受信ダイバーシチを使ってページングチャネル８０２の復号を行い得る一連のステップ１８００を示す図である。ステップ１８０２で、移動ワイヤレスデバイス１０２は、状態Ｓ５で覚醒してもよく、ステップ１８０４で、移動ワイヤレスデバイス１０２は、一次アンテナと二次アンテナとを両方介して受信した信号を用いてフルダイバーシチを使って、ワイヤレスネットワーク１００を再捕捉してもよい。ステップ１８０６で、移動ワイヤレスデバイス１０２は、正確な「合格」ＣＲＣを持つページングチャネルメッセージ１００６を連続的に探しながらフル受信ダイバーシチを使ってページングチャネル８０２を復号してもよい。移動ワイヤレスデバイス１０２が、ステップ１８０８で判定される正確な「合格」ＣＲＣを持つページングチャネルメッセージ１００６を受信した場合、そして、移動ワイヤレスデバイス１０２が、現行の覚醒サイクルの中で予期される追加のページングチャネルメッセージ１００６は存在しないことを確認した場合、移動ワイヤレスデバイス１０２は、ステップ１８１０でＤＲＸカウンタを減少させてもよい。ＤＲＸカウンタは、移動ワイヤレスデバイス１０２がステップ１８０２でそこから覚醒した状態Ｓ５でスリープ１４２０／１７２０／１８２８に戻る前に、ステップ１４１８／１７１８／１８２６で再初期化されていた可能性がある。ＤＲＸカウンタは、移動ワイヤレスデバイス１０２が、フル受信ダイバーシチを用いながら正確な「合格」ＣＲＣを持つページングチャネルメッセージ１００６の復号に成功したＤＲＸサイクルの数を、カウントダウンしてもよい。ＤＲＸカウンタは、単一アンテナだけの使用に復帰する前に移動ワイヤレスデバイス１０２が、成功した「合格」ＣＲＣを持ち、不正確な「失敗」ＣＲＣを持たない所定数の連続する覚醒サイクルについてページングチャネル８０２を復号するために複数のアンテナと共にフル受信ダイバーシチを用いることを続けうる、一種のヒステリシスを提供してもよい。ＤＲＸカウンタが、ステップ１８１２で判定されるようにゼロに等しくない場合、移動ワイヤレスデバイス１０２は、ステップ１８２８に示すように状態Ｓ５でスリープしてもよい。
【００８０】
ＤＲＸカウンタが、ステップ１８１２で判定されるようにゼロに等しくない場合、移動ワイヤレスデバイス１０２は、受信信号品質と受信信号強度とを両方用いて、後続のＤＲＸサイクルの間に再覚醒する前にどの状態でスリープするのか判定してもよい。代表的な実施形態では、受信信号品質は、受信信号コード電力を受信雑音および干渉レベル全体で除したもの（ＥｃＩｏ）という測度でありうる。受信信号強度は、受信信号コード電力（ＲＳＣＰ）または受信パイロット強度の測定値、あるいは、移動ワイヤレスデバイス１０２によって監視された受信信号電力の別の同様の測度でありうる。受信信号強度と受信信号品質とはいずれも、瞬間的な測定変化を取り除くため、時間の経過と共にフィルタ処理されてもよい。受信信号品質がステップ１８１４で所定の第１の閾値を超えた場合、移動ワイヤレスデバイス１０２はスリープし、その状態からその後、単一アンテナを用いて、クイックページングチャネル８０６上でページ指標８１０／８１２が監視されてもよい。移動ワイヤレスデバイス１０２は、二次アンテナ上で測定された信号強度と一次アンテナ上で測定された信号強度との間の信号強度デルタ（差分）を比較することによって一次アンテナと二次アンテナとのいずれかを選択してもよい。信号強度デルタは、ステップ１８１６で所定の第２の閾値と比較されてもよい。信号強度デルタが、ステップ１８１６で所定の第２の閾値を超えた場合、移動ワイヤレスデバイス１０２は、ステップ１８１８に示すように状態Ｓ３でスリープしてもよい。（移動ワイヤレスデバイス１０２は、状態Ｓ３から覚醒して、図１６に示す二次アンテナ上で受信した信号を用いてもよい。）信号強度デルタが、ステップ１８１６で所定の第２の閾値を超えなかった場合、移動ワイヤレスデバイス１０２は、ステップ１８２０で示すように状態Ｓ２でスリープしてもよい。（移動ワイヤレスデバイス１０２は、状態Ｓ２から覚醒して、図１５に示す一次アンテナ上で受信した信号を用いてもよい。）
【００８１】
受信信号品質が、ステップ１８１４で所定の第１の閾値を超えなかった場合、移動ワイヤレスデバイス１０２は、ページングチャネル８０２を直接監視するのに単一アンテナがその後用いられ、そしてクイックページングチャネル８０６上でページング指標８１０／８１２を監視することを省略しうる、状態でスリープしてもよい。信号強度デルタの算出値を用いて、どの状態でスリープするのか、および次のサイクルでどの状態から覚醒するのかが選択されてもよい。信号強度デルタがステップ１８３０で所定の第２の閾値を超えた場合、移動ワイヤレスデバイス１０２は、ステップ１８３２に示すように状態Ｓ４でスリープしてもよい。（移動ワイヤレスデバイス１０２は、状態Ｓ４から覚醒して、図１７に示すように二次アンテナ上で受信した信号を用いてもよい。）信号強度デルタがステップ１８３０で所定の第２の閾値を超えなかった場合、移動ワイヤレスデバイス１０２は、ステップ１８３４に示すように状態Ｓ１でスリープしてもよい。（移動ワイヤレスデバイス１０２は、状態Ｓ１から覚醒して、図１４に示すように一次アンテナ上で受信した信号を用いてもよい。）従って、受信信号品質の測定（およびフィルタ処理）値を用いて、次のＤＲＸサイクルの覚醒部分の中でページ指標８１０／８１２を復号するかまたはページングチャネル８０２を直接復号するかが選択されてもよい。受信信号強度デルタ（２つのアンテナを介して受信した信号強度の差分の測度）の測定（およびフィルタ処理）値を用いて、次のＤＲＸサイクルの中で２つのアンテナのどちらを復号するかが選択されてもよい。
【００８２】
移動ワイヤレスデバイス１０２は、ステップ１８２４で不正確なＣＲＣ「失敗」と共に復号するページングチャネルメッセージ１００６を受信した場合、ＤＲＸカウンタは、ステップ１８２６で再初期化されてもよく、そして移動ワイヤレスデバイス１０２は、ステップ１８２８に示すように状態Ｓ５でまたスリープしてもよい。ＤＲＸカウンタは、（ＣＲＣ「合格」検出の成功と共に複数の覚醒サイクルによって測定される）受信信号品質が改善されるまで移動ワイヤレスデバイス１０２を状態Ｓ５に維持するために、フル受信ダイバーシチを使ってページングチャネル８０２を復号している間に不正確なＣＲＣ「失敗」が検出される度に再初期化されてもよい。フルダイバーシチを使ってページングチャネル８０２を連続的に復号する場合、ステップ１８０６に入る時に復号タイマが開始されてもよい。復号タイマは、移動ワイヤレスデバイス１０２がステップ１８０６から１８０８へ、１８２４へ、１８２２へ、そしてまた１８０６へ戻るサイクルを通過する間、実行されてもよい。復号タイマは、正確なＣＲＣ「合格」が検出される度にリセットされてもよい。復号タイマがステップ１８２２で切れた場合、移動ワイヤレスデバイス１０２は、たとえ一次アンテナと二次アンテナとの両方を介して受信した信号と共にフル受信ダイバーシチを用いたとしても、連続する所定の時間帯について何らかの検出されたＣＲＣを持つページングチャネルメッセージ１００６を受信することができない。この状況では、移動ワイヤレスデバイス１０２は、円「Ｈ」を介して図１９のステップ１９０４へと移行してシステム判定を行ってもよい。
【００８３】
図１３、図１４、図１７および図１８に概説した方法のステップには、レイヤ２ページングチャネルメッセージ１００６の一部として受信したレイヤ２ＣＲＣセグメント１０１２を検査することが含まれる。また、同じステップは、レイヤ２制御チャネルメッセージ１０２６の一部として受信したレイヤ２ＣＲＣセグメント１０３２を検査すること、あるいはより一般的に、レイヤ２ＣＲＣセグメントを含む受信したシグナリングメッセージの中の送信エラーを検出することにも適用されうる。レイヤ２メッセージについてのエラー検出に加えて、移動ワイヤレスデバイス１０２は、図１０Ｂに示すＦ−ＣＣＣＨフレームに接続されたレイヤ１ＣＲＣセグメントのようなレイヤ１についてのエラー検出を含むプロトコルを用いてもよい。単一のレイヤ２Ｆ−ＣＣＣＨメッセージ１０２６は、１つ以上のＦ−ＣＣＣＨフレームを含んでいてもよく、各Ｆ−ＣＣＣＨフレームは、別個のレイヤ１ＣＲＣを含んでいてもよい。図１３、図１４、図１７および図１８に概説した方法のステップは、レイヤ２ＣＲＣセグメント１０３２ではなく（または、それに加えて）レイヤ１ＣＲＣを用いて、ＣＲＣ「合格」またはＣＲＣ「失敗」を検査することを含むように拡張されてもよい。移動ワイヤレスデバイス１０２では、レイヤ１フレームのレイヤ１処理は、レイヤ２セグメントのセグメント化および再構築（ＳＡＲ）の前に行われる可能性があり、従って、エラーの検出は（複数のレイヤ１ＣＲＣセグメントが、単一のレイヤ２Ｆ−ＣＣＣＨメッセージ１０２６の中に含まれうるため）、より早く、かつ、より頻繁に行われうる。レイヤ１ＣＲＣを用いてＣＲＣ「失敗」条件を検出する場合、図１４のステップ１４２６および図１７のステップ１７２６における連続するＣＲＣ失敗の数は、レイヤ２ＣＲＣ失敗の場合に用いられた連続するＣＲＣ失敗の数とは異なることがある。同様に、図１４のステップ１４２２および図１７のステップ１７２２におけるＣＲＣ合格の欠如を判定するのに用いられる時間量は、レイヤ１ＣＲＣをレイヤ２ＣＲＣと対比させる場合、同じであることもあり、異なることもある。
【００８４】
図１９は、ページングチャネル８０２を再捕捉できなかった時かまたはページングチャネル８０２復号タイマが切れた後に、移動ワイヤレスデバイス１０２が行いうる一連のステップ１９００を示す図である。各ＤＲＸサイクルにおいて、移動ワイヤレスデバイス１０２は、上記の５つのスリープ状態のうちの１つから再覚醒して、１つのアンテナまたは複数のアンテナを用いてワイヤレスネットワーク１００を再捕捉し、ページングチャネル８０２（および／またはクイックページングチャネル８０６）を復号してもよい。また、移動ワイヤレスデバイス１０２は、任意で、単一のＤＲＸサイクルの間にクイックページングチャネル８０６上で２つの別個のページング指標８１０／８１２を読み取る間隔に、スリープしてもよい。移動ワイヤレスデバイス１０２が、ステップ１９０２でページングチャネル８０２を復号するためにワイヤレスネットワーク１００を再捕捉することができない場合、移動ワイヤレスデバイス１０２は、二次アンテナを介して受信した信号を用いてステップ１９０４でワイヤレスネットワーク１００において無線セクタ１０４（セル）を求めて限定的なスキャンを行ってもよい。代表的な実施形態では、限定的なスキャンには、移動ワイヤレスデバイス１０２の中に記憶された、直近に使用された無線セクタ１０４のリストの中から１つまたは２つの無線セクタ１０４を探すことが含まれてもよい。移動ワイヤレスデバイス１０２がステップ１９０６で無線セクタ１０４を特定した場合、移動ワイヤレスデバイス１０２は、ステップ１９１４で受信信号品質を所定の第１の閾値と比較して、どの状態でスリープするのか判定してもよい。受信信号品質は、例えば受信信号コード電力対雑音／干渉比（ＥｃＩｏ）のような、フィルタで除去された、信号品質の測定値であってもよい。受信信号品質が、ステップ１９１４で判定されるように第１の閾値を超えた場合、移動ワイヤレスデバイス１０２は、ステップ１９１６で状態Ｓ３でスリープしてもよい。移動ワイヤレスデバイス１０２は、その後、状態Ｓ３から覚醒して、図１６に示すように二次アンテナを介して受信した信号を用いてクイックページングチャネル８０６上でページ指標８１０／８１２を復号してもよい。受信信号品質が、ステップ１９１４で判定される第１の閾値を超えなかった場合、移動ワイヤレスデバイス１０２は、ステップ１９１６で状態Ｓ４でスリープしてもよい。移動ワイヤレスデバイス１０２は、状態Ｓ４から再覚醒して、図１７に示すように二次アンテナを介して受信した信号を用いて直接ページングチャネル８０２を復号してもよい。
【００８５】
二次アンテナを介して受信した信号を用いたワイヤレスネットワーク１００の無線セクタ１０４についての限定的なスキャンがステップ１９０６で失敗した場合、移動ワイヤレスデバイス１０２は、ステップ１９０８で一次アンテナを介して受信した信号を用いてワイヤレスネットワーク１００の無線セクタ１０４についてのフルスキャンを行ってもよい。代表的な一実施形態では、無線セクタ１０４のフルスキャンには、二次アンテナを介して受信した信号を用いた限定的なスキャンの間にステップ１９０４で探索された無線セクタ１０４、および、移動ワイヤレスデバイス１０２の中の１つ以上のリストの中に記憶された別の無線セクタ１０４が含まれてもよい。ステップ１９１０で一次アンテナを用いて無線セクタ１０４が特定されなかった場合、移動ワイヤレスデバイス１０２は、ステップ１９１２で「サービス停止(out of service)」復旧プロセスに入ってもよい。ワイヤレスネットワーク内の無線セクタ１０４が、ステップ１９１０において、一次アンテナを介して受信した信号を用いて特定された場合、移動ワイヤレスデバイス１０２は、ステップ１９２０で受信信号品質を所定の第１の閾値と比較して、どの状態でスリープするのかを判定してもよい。ステップ１９２０で受信信号品質が所定の第１の閾値を超えた場合、移動ワイヤレスデバイス１０２は、ステップ１９２２で示すように状態Ｓ２でスリープしてもよい。移動ワイヤレスデバイス１０２は、状態Ｓ２から覚醒して、図１５に示すように一次アンテナを介して受信した信号を用いてクイックページングチャネル８０６上でページ指標８１０／８１２を復号してもよい。受信信号品質がステップ１９２０で所定の第１の閾値を超えなかった場合、移動ワイヤレスデバイス１０２は、ステップ１９２４で示すように状態Ｓ１でスリープしてもよい。移動ワイヤレスデバイス１０２は、状態Ｓ１から覚醒して、図１４で示すように一次アンテナを介して受信した信号を用いて直接ページングチャネル８０２を復号してもよい。
【００８６】
（図１９に明示的に示していない）別の実施形態では、移動ワイヤレスデバイス１０２は、ステップ１９０８での一次アンテナ上でのフルスキャンを定期的に中断して、二次アンテナを用いて部分スキャンを行ってもよい。定期的な部分的スキャンは、ステップ１９０４の場合と同じ限定的な無線セクタ１０４の集合を用いてもよいし、あるいは、ステップ１９０４で用いられた無線セクタ１０４の限定的な集合以外の（あるいはそれに加えて）無線セクタ１０４を探すための別の論理を含んでいてもよい。一次アンテナ上のフルスキャンは、無線セクタ１０４の大規模なリストを用いて行われてもよいし、他方、二次アンテナ上の個々の部分的スキャンは、無線セクタ１０４の小規模なリストを用いてもよい。二次アンテナ用に用いられる無線セクタ１０４の小規模なリストは、複数の別個の部分的スキャン全体に対する無線セクタ１０４のより広範なリストをカバーする、個々の連続的な部分的スキャンの試行毎に異なる可能性がある。
【００８７】
上記の実施形態のさまざまな態様、実施形態、実装、または特徴は、別個に用いることもできるし、いずれかの組み合わせで用いることもできる。上記の実施形態の各種の態様は、ソフトウェア、ハードウェアまたはハードウェアとソフトウェアとの組み合わせによって実装されうる。
【００８８】
説明を目的として、前記の記述は、記述した実施形態の十分な理解を可能にするために特定の用語を用いている。しかし、当業者には明らかであろうが、特定の詳細は、記述した実施形態を実施するのに必要なのではない。従って、本明細書に記載された特定の実施形態の以上の記述は、例示と説明とを目的として提示されている。それらは、網羅的であることも、実施形態を開示されたそのままの形態に限定することも目的としていない。当業者には明らかであろうが、上記の教示内容に照らして、多くの修正形態および変形形態が可能である。
【００８９】
記述した実施形態の利点は多い。多様な態様、実施形態または実装が、以下のような１つ以上の利点をもたらしうる。これらの実施形態の多くの特徴および利点は、前記の記述から明らかであり、従って、添付の請求項は、本開示で論じたすべてのそれらの特徴および利点をカバーすることを意図している。また、当業者であれば、多くの修正および変更を容易に思いつくであろうから、これらの実施形態は、例示され説明されたとおりの構造および動作に限定されるべきではない。従って、すべての適切な修正形態および均等物は、本開示の範囲内に入るとして用いられうる。
【図１】
0005956658.tif 000002
【図２】
0005956658.tif 000003
【図３】
0005956658.tif 000004
【図４】
0005956658.tif 000005
【図５】
0005956658.tif 000006
【図６】
0005956658.tif 000007
【図７】
0005956658.tif 000008
【図８】
0005956658.tif 000009
【図９】
0005956658.tif 000010
【図１０Ａ】
0005956658.tif 000011
【図１０Ｂ】
0005956658.tif 000012
【図１１】
0005956658.tif 000013
【図１２】
0005956658.tif 000014
【図１３Ａ】
0005956658.tif 000015
【図１３Ｂ】
0005956658.tif 000016
【図１４】
0005956658.tif 000017
【図１５】
0005956658.tif 000018
【図１６】
0005956658.tif 000019
【図１７】
0005956658.tif 000020
【図１８】
0005956658.tif 000021
【図１９】
0005956658.tif 000022